(57)【特許請求の範囲】
【請求項１】
光ファイバ装置であって、
シャーシ回りに動くことができる引出しと、
前記引出し内に設けられ、前記引出し回りに動くことができる少なくとも１つの光ファイバ機器トレーを受け入れるよう構成された少なくとも１つのトレーガイドと、
前記少なくとも１つの光ファイバ機器トレー内に設けられた少なくとも１つのモジュールガイドであって、前記少なくとも１つのモジュールガイド回りに動くことができる少なくとも１つの光ファイバモジュールを受け入れるよう構成されている少なくとも１つのモジュールガイドと、を備え、
前記少なくとも１つの光ファイバモジュールが、前端と、後端と、内側と、前記前端を通して配置された少なくとも１つの光ファイバアダプタと、前記少なくとも１つの光ファイバアダプタに連結された少なくとも１つの光ファイバモジュールの内側に配置された少なくとも１つの光ファイバと、を有している、
ことを特徴とする光ファイバ装置。
【請求項２】
前記引出しは、前記シャーシ回りに傾斜するよう構成されている、
請求項１記載の光ファイバ装置。
【請求項３】
前記少なくとも１つの傾斜制限部材に設けられ、前記シャーシ回りの前記引出しの最大傾斜角度を制限するアングルを更に有する、
請求項２記載の光ファイバ装置。
【請求項４】
前記少なくとも１つの傾斜制限部材に設けられ、前記シャーシ回りの前記引出しの前記傾斜を制限するためにピンを受け入れるよう構成されたスロットを更に有する、
請求項２又は３記載の光ファイバ装置。
【請求項５】
前記少なくとも１つの傾斜制限部材は、少なくとも１枚の制御プレートと前記引出しとの間に配置され、前記少なくとも１枚の制御プレートは、前記少なくとも１つの傾斜制限部材が前記少なくとも１枚の制御プレートと前記引出しとの間で動いて下方に傾斜することができるよう少なくとも１つのスタンドオフに取り付けられている、
請求項２記載の光ファイバ装置。
【請求項６】
前記少なくとも１つのトレーガイドは、前記シャーシ回りに傾斜するよう構成されている、
請求項１記載の光ファイバ装置。
【請求項７】
前記引出しは、後側パネルにヒンジ式に取り付けられた前側パネルで構成され、前記前側パネルは、前記後側パネル回りに傾斜するよう構成されている、
請求項１記載の光ファイバ装置。
【請求項８】
前記引出しに設けられ、前記引出しを前記シャーシ内に解除可能に保持するよう構成された少なくとも１つの引出し保持部材を更に有し、前記少なくとも１つの引出し保持部材は、前記引出しに設けられると共に前記シャーシ内に設けられた少なくとも１つの突起に当たり、前記少なくとも１つのエンボスが前記少なくとも１つの突起から妨害を受けないようになるまで前記引出しを前記シャーシ内に保持するよう構成された少なくとも１つのエンボスで構成されている、
請求項１記載の光ファイバ装置。
【請求項９】
前記引出しの底側部に設けられ、前記引出しを前記シャーシ回りに並進させるよう前記シャーシに設けられている少なくとも１つの引出しガイドに係合するよう構成されている少なくとも１つの引出しレールを更に有する、
請求項１記載の光ファイバ装置。
【請求項１０】
前記少なくとも１つのモジュールガイドは、前記少なくとも１つの光ファイバモジュールに設けられた少なくとも１つのモジュールレールを受け入れるよう構成された少なくとも１つのモジュールレールガイドで構成され、前記光ファイバ装置は、前記少なくとも１つの光ファイバモジュールを前記少なくとも１つの光ファイバ機器トレー内に解除可能に保持するよう構成された少なくとも１つのモジュールロック部材を更に有する、
請求項１記載の光ファイバ装置。
【発明の詳細な説明】
【技術分野】
【０００１】
本発明の技術分野は、光ファイバ接続部を支持するよう光ファイバ機器内に設けられた光ファイバモジュールに関する。
【０００２】
〔関連出願の説明〕
本願は、２００９年５月２１日に出願された同時係属中の米国特許仮出願第６１／１８０，３３４号（発明の名称：Fiber Optic Equipment Supporting Moveable fiber Optic Equipment Tray(s) and Module(s), and Related Equipment）の優先権主張出願であり、この米国特許仮出願を参照により引用し、その記載内容の全体を本明細書の一部とする。
【０００３】
本願は又、２００９年６月２２日に出願された同時係属中の米国特許仮出願第６１／２１９，２４１号（発明の名称：Fiber Optic Equipment Supporting Moveable Fiber Optic Equipment Tray(s) and Module(s),  and Related Equipment）に関し、この米国特許仮出願を参照により引用し、その記載内容全体を本明細書の一部とする。
【０００４】
本願は又、２００９年１０月９日に出願された同時係属中の米国特許仮出願第１２／５７６，７６９号（発明の名称：Fiber Optic Equipment Supporting Moveable Fiber Optic Equipment Tray(s) and Module(s), and Related Equipment and Method）の優先権主張出願であり、この米国特許仮出願を参照により引用し、その記載内容全体を本明細書の一部とする。
【０００５】
本願は、２００９年５月２１日に出願された同時係属中の米国特許仮出願第６１／１８０，３３１号（発明の名称：Fiber Optic Equipment Guides and Rails Configured With Stopping Position(s), and Related Equipment）に関し、この米国特許仮出願を参照により引用し、その記載内容全体を本明細書の一部とする。
【０００６】
本願は又、２００９年６月２２日に出願された同時係属中の米国特許仮出願第６１／２１９，２３３号（発明の名称：Fiber Optic Equipment Guides and Rails Configured With Stopping Position(s), and Related Equipment）に関し、この米国特許仮出願を参照により引用し、その記載内容全体を本明細書の一部とする。
【０００７】
本願は、２００８年１１月２５日に出願された同時係属中の米国特許出願第１２／３２３，４２３号（発明の名称：Rear-Installable Fiber Optic Modules and Equipment）に関し、この米国特許出願を参照により引用し、その記載内容全体を本明細書の一部とする。
【０００８】
本願は又、２００８年１１月２５日に出願された同時係属中の米国特許出願第１２／３２３，４１５号（発明の名称：Independently Translatable Modules and Fiber Optic Equipment Trays In Fiber Optic Equipment）に関し、この米国特許出願を参照により引用し、その記載内容全体を本明細書の一部とする。
【０００９】
本願は又、２００９年２月２７日に出願された同時係属中の米国特許出願第１２／３９４，４８３号（発明の名称：Rear-Slidable Extension in a Fiber Optic Equipment Tray）に関し、この米国特許出願を参照により引用し、その記載内容全体を本明細書の一部とする。
【背景技術】
【００１０】
光ファイバの利点として極めて広い帯域幅及びノイズの低い動作が挙げられる。これら利点に鑑みて、光ファイバは、種々の用途にますます多く用いられており、かかる用途としては、ブロードバンド音声、映像及びデータ伝送が挙げられる。光ファイバを採用した光ファイバネットワークが開発されると共に音声、映像及びデータ送信を私設ネットワークと公衆ネットワークの両方により加入者に提供するよう用いられている。これら光ファイバネットワークは、或る１つの接続点から別の接続点までの「ライブファイバ（live fiber）」を提供するよう光ファイバを互いに連係する分離接続点を有する場合が多い。この点に関し、光ファイバ機器が相互接続を支援するようデータ配信センタ又は中央局に設置されている。
【発明の概要】
【発明が解決しようとする課題】
【００１１】
光ファイバ機器は、アプリケーションのニーズに基づいてカスタマイズされる。光ファイバ機器は、典型的には、スペースの使用を最適化するよう機器ラック内に設けられたハウジング内に収納される。かかる光ファイバ機器の一例は、光ファイバモジュールである。光ファイバモジュールは、ケーブル間光ファイバ接続を可能にすると共に光ファイバケーブル接続の極性を管理するよう設計されている。光ファイバモジュールは、典型的には、機器ラック又はキャビネット内に設けられているシャーシ又はハウジングに取り付けられる。技術者は、機器ラック内に設けられている光ファイバ機器への光ファイバ接続を行なう。光ファイバ機器トレー内の光コンポーネントへのアクセス性を向上させると共に整然とした引き回し及びジャンパ接続の組織化をもたらす要望が依然として存在する。
【課題を解決するための手段】
【００１２】
詳細な説明に開示されている実施形態は、光ファイバ機器を支持する光ファイバ装置並びに関連機器及び方法を含む。一実施形態では、光ファイバ装置は、光ファイバ機器引出しを有する。光ファイバ機器引出しは、シャーシ内に設置され、シャーシ回りに動くことができる。少なくとも１つの光ファイバ機器トレーが光ファイバ機器引出し内に設けられた少なくとも１つのトレーガイド内に受け入れられている。光ファイバ機器トレーは、光ファイバ機器引出し回りに動くことができるようトレーガイド回りに動くことができる。少なくとも１つの光ファイバモジュールが光ファイバ機器トレー内に設けられた少なくとも１つのモジュールガイド内に受け入れられている。光ファイバモジュールは、光ファイバ機器トレー回りに動くことができるようモジュールガイド回りに動くことができる。このように、光ファイバ機器引出し内に設けられた光ファイバモジュール及びその光ファイバ接続部へのアクセス性を向上させることができる。光ファイバ機器引出しを動かしてシャーシから出すことができ、それにより光ファイバ機器トレー及びこの中に支持された光ファイバモジュールへのアクセスが可能になる。光ファイバ機器トレーを動かして光ファイバ機器引出しから出すことができ、それによりこの中に支持されている光ファイバモジュールへのアクセス性が向上する。光ファイバモジュールを動かして光ファイバ機器トレーから出すことができ、それにより光ファイバモジュールへのアクセス性が一段と向上する。アクセス性の向上は、光ファイバモジュールの設置、再設置、再構成及び／又は取り出し並びにこの中に作られている光ファイバ接続部へのアクセスにとって有用な場合がある。
【００１３】
光ファイバ機器トレー及び／又は光ファイバモジュールは各々、アクセス性を向上させるよう別個独立に動くことができる。光ファイバ装置は、所望の任意サイズのものであって良い。任意の数の光ファイバ機器トレー及び／又は光ファイバモジュールを設けることができる。
【００１４】
一実施形態では、光ファイバ機器引出しは、シャーシ回りに動くことができる。引っ込められていないときに光ファイバ機器引出しをシャーシ内に保持するよう引出し保持部材が光ファイバ機器引出し内に設けられるのが良い。別の実施形態では、シャーシからの光ファイバ機器引出しの引き抜き距離を制限するよう引き抜き制限部材が光ファイバ機器引出し内に設けられる。別の実施形態では、少なくとも１つの引出しレールが光ファイバ機器引出しの底側部に設けられ、かかる少なくとも１つの引出しレールは、シャーシ内に設けられた少なくとも１つの引出しガイドに係合するよう構成されている。引出しガイドは、引出しレール回りに動いて光ファイバ機器引出しをシャーシ回りに動かす。別の実施形態では、引出しドアが光ファイバ機器引出しの前側部に取り付けられ、この引出しドアは、光ファイバ機器引出し内に支持された光ファイバ機器トレーへのアクセスを可能にするために開かれるよう構成されている。光ファイバ機器引出し及び／又は引出しドアは、光ファイバ機器引出し内に設けられた光ファイバモジュールに連結されている光ファイバケーブルを引き回す１つ又は２つ以上の引き回しガイドを有するのが良い。光ファイバ機器引出しへのアクセス方法であって、光ファイバ機器引出しを保持するステップと、シャーシからの光ファイバ機器引出しの引き抜き距離を制限するステップを有する方法も又開示される。
【００１５】
別の実施形態では、光ファイバ機器引出しは、シャーシ回りに傾斜するよう構成されている。このように、光ファイバ機器トレー内に設けられている光ファイバ機器トレー及び光ファイバモジュールは、アクセス性の向上をもたらすよう光ファイバ機器引出しと一緒に傾斜される。別の実施形態では、シャーシ回りの光ファイバ機器引出しの傾斜量又は傾斜角度を制限するよう引出し傾斜制限部材が光ファイバ機器引出し内に設けられる。引出し傾斜制限部材は、これがシャーシの一部ではなく又はこれに取り付けられることがないよう構成されているのが良い。別の実施形態では、光ファイバ機器トレー及びこの中に納められた光ファイバモジュールは、光ファイバ機器引出しを提供しないでシャーシ又は他の光ファイバ装置若しくは機器内に設けられるのが良い。光ファイバ機器引出しをシャーシ回りに傾斜させるステップ及び光ファイバ機器引出しの傾斜角度を制限するステップを有する方法も又開示される。
【００１６】
追加の特徴及び利点は、以下の詳細な説明に記載されており、一部は、この記載から当業者には容易に明らかになり又は以下の詳細な説明、特許請求の範囲並びに添付の図面を含む本明細書に記載された本発明を実施することによって認識される。
【００１７】
上述の概要説明と以下の詳細な説明の両方は、実施形態を提供しており、開示内容の性質及び特性を理解するための概観又は枠組を提供するようになっていることは理解されるべきである。添付の図面は、一層深い理解を提供するために組み込まれており、かかる添付の図面は、本明細書に組み込まれてその一部をなしている。図面は、種々の実施形態を記載しており、詳細な説明と一緒になって、開示した技術的思想の原理及び作用を説明するのに役立つ。
【図面の簡単な説明】
【００１８】
【図１】一実施形態に従ってシャーシ内に設置されて別個独立に動くことができる光ファイバ機器トレー及びモジュールを支持する例示の光ファイバ機器引出しの正面側斜視図である。
【図２Ａ】シャーシから引き出されて完全に開かれると共に下方に傾けられた図１の光ファイバ機器引出しの正面側斜視図であり、光ファイバ機器トレーの１つが光ファイバ機器引出しから引き抜かれている状態を示す図である。
【図２Ｂ】図２Ａの光ファイバ機器引出しの側面図である。
【図３】シャーシカバーが取り外された状態の図１の光ファイバ機器引出し及びシャーシの正面側斜視図である。
【図４】図３の光ファイバ機器引出しの引出しドアの拡大図である。
【図５】図１の光ファイバ機器引出し及びシャーシの正面側斜視図であり、引出しドアが一実施形態に従って下げられた状態を示す図である。
【図６】図１の光ファイバ機器引出し及びシャーシの正面側斜視図であり、光ファイバ機器引出しがシャーシから引き出されると共に引出しドアが下げられた状態を示す図である。
【図７】取付け状態の光ファイバ機器トレー及びモジュールを省いた状態の図１の光ファイバ機器引出しの正面側斜視図である。
【図８Ａ】シャーシ内に保持された図１の光ファイバ機器引出し内の例示の引出し保持部材の左側面断面図である。
【図８Ｂ】図８Ａに示された引出し保持部材の平面側断面斜視図である。
【図９Ａ】シャーシから引き抜かれた図１の光ファイバ機器引出しの引出し保持部材の平面側拡大斜視図である。
【図９Ｂ】図９Ａに示された引出し保持部材の底面側拡大斜視図である。
【図１０Ａ】図１の光ファイバ機器引出しの後側パネルの正面側斜視図であり、光ファイバ機器引出しがシャーシから完全に引き抜かれる直前における例示の引出し引き抜き制限部材を示す図である。
【図１０Ｂ】図１の光ファイバの機器引出しの後側パネルの正面側斜視図であり、光ファイバ機器引出しをシャーシから完全に引き抜いたときの図１０Ａの光ファイバ機器引出し引き抜き制限部材を示す図である。
【図１１Ａ】シャーシから完全に引き抜かれて下方に傾けられた図１の光ファイバ機器引出しの正面側斜視図である。
【図１１Ｂ】図１１Ａの光ファイバ機器引出しの側面図である。
【図１２】取付け状態の光ファイバ機器トレー及びモジュールを省いた状態で下方に傾けられた図１の光ファイバ機器引出しの正面側斜視図である。
【図１３Ａ】光ファイバ機器引出しをシャーシから引き抜き、これを傾けていないときにおける図１の光ファイバ機器引出しの例示の傾き制限部材の平面側拡大斜視図である。
【図１３Ｂ】光ファイバ機器引出しをシャーシから完全に引き抜いて下方に傾けられた場合における図１３Ａの傾き制限部材の平面側拡大斜視図である。
【図１３Ｃ】図１３Ｂの底面側拡大斜視図である。
【図１３Ｄ】光ファイバ機器引出しの傾斜角を一段と制限するためのスロットを含む図１３Ａの傾き制限部材の底面側拡大斜視図である。
【図１３Ｅ】光ファイバ機器引出しが下方に傾けられた状態の図１３Ｄの底面側斜視図である。
【図１３Ｆ】光ファイバ機器引出しのフランジと光ファイバ機器引出しのための外広がり制御を提供するよう構成された制御プレートとの間に設けられた図１３Ｄ及び図１３Ｅの傾き制限部材を有する図７の光ファイバ機器引出しの右側面正面側斜視図である。
【図１３Ｇ】図１３Ｆの右側面背面側斜視図である。
【図１３Ｈ】図１３Ｆ及び図１３Ｇの光ファイバ機器引出し及び傾き制限部材の左側面側拡大斜視図あり、制御プレートを光ファイバ機器引出しのフランジにどのようにして取り付けることができるかの一例を示す図である。
【図１３Ｉ】図１３Ｆ及び図１３Ｇの光ファイバ機器引出し及び傾き制限部材の右側面側拡大斜視図であり、制御プレートを光ファイバ機器引出しのフランジにどのようにして取り付けることができるかの一例を示す図である。
【図１３Ｊ】図１３Ｆ及び図１３Ｇの光ファイバ機器引出し及び傾き制限部材の拡大側面図であり、傾き制限部材及び光ファイバ機器引出しのフランジに対する制御プレートの例示の位置合わせ状態を示す図である。
【図１３Ｋ】図１３Ｅ及び図１３Ｆの光ファイバ機器引出しのフランジに取り付けられた制御プレートの右側面側拡大斜視図である。
【図１３Ｌ】光ファイバ機器引出しが下方に傾けられた状態の図１３Ｅ及び図１３Ｆの光ファイバ機器引出しに取り付けられた制御プレートの左側面拡大斜視図である。
【図１４Ａ】図１の光ファイバ機器引出しによって支持されると共に光ファイバ機器引出しから引き抜かれた例示の光ファイバ機器トレーの正面側斜視図である。
【図１４Ｂ】図１４Ａの光ファイバ機器トレーの拡大図である。
【図１５】図１の光ファイバ機器引出しから取り外された状態の図１４Ａの例示の光ファイバ機器トレーの正面側斜視図である。
【図１６Ａ】図１５の光ファイバ機器トレーによって支持できる例示の光ファイバモジュールの右側面正面側斜視図である。
【図１６Ｂ】図１６Ａの光ファイバモジュールの左側面正面側斜視図である。
【図１７】図１５の光ファイバ機器トレー内に設置された図１６Ａの光ファイバモジュールの正面側斜視図である。
【図１８】図１３の光ファイバ機器引出し及びシャーシの背面側斜視図であり、光ファイバ機器引出し内に設けられている光ファイバ機器トレー内に設置された後方から設置可能な光ファイバモジュールを示す図である。
【図１９Ａ】図１５の光ファイバ機器トレーを受け入れるよう構成された図１の光ファイバ機器引出し内に設けられた例示のトレーガイドの左側面側斜視図である。
【図１９Ｂ】図１５の光ファイバ機器トレーを受け入れるよう構成された図１の光ファイバ機器引出し内に設けられた例示のトレーガイドの右側面側斜視図である。
【図１９Ｃ】図１５の光ファイバ機器トレーのトレーレールを受け入れるよう構成された別の例示のトレーガイドの左側面側斜視図である。
【図１９Ｄ】図１５の光ファイバ機器トレーのトレーレールを受け入れるよう構成された別の例示のトレーガイドの右側面側斜視図である。
【図２０】図１の光ファイバ機器引出し及びシャーシの左側面側断面斜視図であり、図１５の光ファイバ機器トレーのトレーレールを受け入れた図１９Ａ及び図１９Ｂのトレーガイドを示す図である。
【図２１Ａ】図１９Ａ及び図１９Ｂのトレーガイドによって受け入れられるよう構成された図１５の光ファイバ機器トレーのための例示のトレーレールの斜視図である。
【図２１Ｂ】図１９Ａ及び図１９Ｂのトレーガイドによって受け入れられるよう構成された図１５の光ファイバ機器トレーのための例示のトレーレールの平面図である。
【図２２】後側シャーシカバーが図示されると共に取り外された状態の図１の光ファイバ機器引出し及びシャーシの背面側斜視図である。
【図２３】後側シャーシカバーが取り付けられた状態の図２２の光ファイバ機器引出し及びシャーシの背面側斜視図である。
【図２４】シャーシ内に設置されると共に別個独立に動くことができる光ファイバ機器トレー及びモジュールを支持した別の例示の光ファイバ機器引出しの正面側斜視図である。
【図２５Ａ】シャーシから引き出されて完全に開かれると共に下方に傾けられた図２４の光ファイバ機器引出しの正面側斜視図である。
【図２５Ｂ】図２５Ａの光ファイバ機器引出しの側面図である。
【図２６】図２４の光ファイバ機器引出し及びシャーシの正面側斜視図であり、引出しドアが一実施形態に従って下げられた状態を示す図である。
【図２７Ａ】図２４の光ファイバ機器引出し及びシャーシの正面側斜視図であり、光ファイバ機器引出しがシャーシから引き出されると共に引出しドアが下げられた状態を示す図である。
【図２７Ｂ】図２７Ａの光ファイバ機器引出し及びシャーシの平面図である。
【図２８】図２４の光ファイバ機器引出しの左側端部引出し保持部材の底面側拡大斜視図である。
【図２９Ａ】図２４の光ファイバ機器引出しの右側端部引出し保持部材を単独で取り出して示す右側面側斜視図である。
【図２９Ｂ】図２９Ａの引出し保持部材を単独で取り出して示す左側面側斜視図である。
【図３０Ａ】図２４の光ファイバ機器引出しの前側パネル及び後側パネルの拡大斜視図であり、前側パネルが下方に傾けられた状態を示す図である。
【図３０Ｂ】図２４の光ファイバ機器引出しの引出し引き抜き制限部材の拡大斜視図である。
【図３１Ａ】シャーシから完全に引き出されると共に下方に傾けられた図２４の光ファイバ機器引出しの正面側斜視図である。
【図３１Ｂ】図３１Ａの光ファイバ機器引出しの背面側斜視図である。
【図３２Ａ】図２４の光ファイバ機器引出し内に設けられた引出しレールから完全に引き出された引出しガイドの拡大斜視図である。
【図３２Ｂ】図２４の光ファイバ機器引出し内の引出しレール中に完全に引っ込められた状態の図３２Ａの引出しガイドの拡大斜視図である。
【図３３Ａ】別の実施形態に従って別個独立に動くことができる光ファイバ機器トレー及び光ファイバモジュールを含む別の例示の光ファイバ機器の正面側斜視図である。
【図３３Ｂ】図３３Ａの光ファイバ機器引出しの側面図である。
【図３４】図３３Ａの光ファイバ機器の正面側斜視図であり、シャーシカバーが取り外された状態を示す図である。
【図３５】図３３Ａの光ファイバ機器の正面側斜視図であり、光ファイバ機器トレーがシャーシから引き抜かれた状態を示す図である。
【発明を実施するための形態】
【００１９】
次に、或る特定の実施形態を詳細に参照し、これら実施形態の例が添付の図面に示されており、添付の図面には、全てではないが幾つかの特徴が示されている。確かに、本明細書において開示する実施形態は、多種多様な形態で具体化できるので、本発明は、本明細書に記載した実施形態に限定されるものとは解されてはならず、これとは異なり、これら実施形態は、この開示内容が該当する法的要件を満足させるよう提供されている。可能な場合にはいつでも、同一の参照符号は、同一のコンポーネント又は部分を示すために用いられる。
【００２０】
詳細な説明に開示されている実施形態は、光ファイバ機器を支持する光ファイバ装置並びに関連機器及び方法を含む。一実施形態では、光ファイバ装置は、光ファイバ機器引出しを有する。光ファイバ機器引出しは、シャーシ内に設置され、シャーシ回りに動くことができる。少なくとも１つの光ファイバ機器トレーが光ファイバ機器引出し内に設けられた少なくとも１つのトレーガイド内に受け入れられている。光ファイバ機器トレーは、光ファイバ機器引出し回りに動くことができるようトレーガイド回りに動くことができる。少なくとも１つの光ファイバモジュールが光ファイバ機器トレー内に設けられた少なくとも１つのモジュールガイド内に受け入れられている。光ファイバモジュールは、光ファイバ機器トレー回りに動くことができるようモジュールガイド回りに動くことができる。このように、光ファイバ機器引出し内に設けられた光ファイバモジュール及びその光ファイバ接続部へのアクセス性を向上させることができる。光ファイバ機器引出しを動かしてシャーシから出すことができ、それにより光ファイバ機器トレー及びこの中に支持された光ファイバモジュールへのアクセスが可能になる。光ファイバ機器トレーを動かして光ファイバ機器引出しから出すことができ、それによりこの中に支持されている光ファイバモジュールへのアクセス性が向上する。光ファイバモジュールを動かして光ファイバ機器トレーから出すことができ、それにより光ファイバモジュールへのアクセス性が一段と向上する。アクセス性の向上は、光ファイバモジュールの設置、再設置、再構成及び／又は取り出し並びにこの中に作られている光ファイバ接続部へのアクセスにとって有用な場合がある。
【００２１】
この点に関し、図１は、例示の光ファイバ機器１０を示している。例示の光ファイバ機器１０は、ケーブル間光ファイバ接続部を支持すると共に複数の光ファイバケーブル接続部を管理するようデータ配信センタ又は中央局に設けられるのが良い。光ファイバ機器１０は、光ファイバ機器シャーシ１２（以下、単に「シャーシ１２」という）を有する。シャーシ１２は、光ファイバ機器ラック１４内に設置された状態で示されている。光ファイバ機器ラック１４は、垂直に延びると共に一連の孔１８を備えた２本の垂直レール１６Ａ，１６Ｂを有する。孔１８は、光ファイバ機器ラック１４内での光ファイバ機器１０の取付けを容易にする。光ファイバ機器１０は、垂直レール１６Ａ，１６Ｂ内に互いに上下に積み重ねられた棚の形態をしている光ファイバ機器ラック１４によって取り付けられると共に支持されている。図示のように、光ファイバ機器１０は、垂直レール１６Ａ，１６Ｂに取り付けられている。光ファイバ機器ラック１４は、１Ｕサイズ又は任意他のＵサイズの棚を支持することができ、“Ｕ”は、高さが標準の１．７５インチ（４．４５ｃｍ）又は所望の任意他の高さに等しい。
【００２２】
図１に示されると共に本明細書において以下に詳細に説明されるように、シャーシ１２は、１つ又は２つ以上の引き出し可能な光ファイバ機器トレー２２を支持した光ファイバ機器引出し２０を有している。光ファイバ機器トレー２２を動かして光ファイバ機器引出し２０から引き出したり光ファイバ機器引出し２０内に戻したりすることができる。任意の数の光ファイバ機器トレー２２を設けることができる。各光ファイバ機器トレー２２は、各々が１つ又は２つ以上の光ファイバ接続部を支持する１つ又は２つ以上の光ファイバモジュール（図２Ａに要素２６として示されている）を支持している。光ファイバモジュールは、図１では、シャーシ１２の一部として光ファイバ機器引出し２０の前に配置された前側シャーシカバー２４によって隠れて見えない。前側シャーシカバー２４は、シャーシ１２を覆うカバーを形成するよう後側シャーシカバー２５に取り付けられている。光ファイバ機器引出し２０は、光ファイバ機器トレー２２及びこれらの中に支持されている光ファイバモジュール２６にアクセスするためにシャーシ１２から引き出し可能である。
【００２３】
図１の光ファイバ機器１０の例では、２つの光ファイバ機器トレー２２は、光ファイバ機器引出し２０によって支持され、各光ファイバ機器トレー２２は、４つの光ファイバモジュール２６を支持している。各光ファイバモジュール２６は、１２個の光ファイバ接続部を支持している。全部で最大９６個の光ファイバ接続部を光ファイバ機器引出し２０によって提供することができるが、光ファイバ機器引出し２０は、この密度に限定されるわけではない。
【００２４】
図２Ａ及び図２Ｂは、図１の光ファイバ機器１０及び光ファイバ機器引出し２０の或る特定の性能及び特徴の概要を示すために提供されている。これら性能及び特徴の実施形態について本明細書において詳細に説明する。図２Ａは、シャーシ１２及び光ファイバ機器引出し２０の正面側斜視図である。図２Ｂは、シャーシ１２及び光ファイバ機器引出し２０の側面図である。図２Ａに示されているように、光ファイバ機器引出し２０は、シャーシ１２から引き抜かれている。光ファイバ機器引出し２０内の光ファイバ機器トレー２２によって支持された光ファイバモジュールが見える。光ファイバ機器引出し２０をシャーシ１２から引き出すと、光ファイバ機器トレー２２にアクセスすることができる。光ファイバ機器トレー２２を光ファイバ機器引出し２０から引き出すと、光ファイバ機器トレー２２によって支持された光ファイバモジュール２６及びこれらの中に支持された光ファイバ接続部にアクセスすることができる。図２Ａ及び図２Ｂに示されているように、光ファイバ機器引出し２０は、シャーシ１２から完全に引き抜かれ又は引き出され、下方に傾けられている。光ファイバ機器引出し２０を下方に傾けると、図２Ａ及び図２Ｂに示されているように、所望に応じて光ファイバ機器引出し２０内に設置されている光ファイバモジュール２６を下方に傾けることができる。アクセスのための下方への光ファイバ機器引出し２０の傾斜は、光ファイバ機器引出し２０が光ファイバ機器ラック内の高い位置に設けられている場合に特に有用なことがある。光ファイバモジュール２６にアクセスするには、図２Ａ及び図２Ｂに示されているように、光ファイバモジュール２６を支持した光ファイバ機器トレー２２を光ファイバ機器引出し２０から引き抜くのが良い。さらに、所望に応じて光ファイバモジュール２６を光ファイバ機器トレー２２から取り外すことができる。
【００２５】
以下に詳細に説明するように、各光ファイバ機器トレー２２は又、光ファイバ機器引出し２０をシャーシ１２から引き出そうと引き出さまいと或いは下方に傾けようと傾けまいといずれにせよ、光ファイバ機器引出し２０から別個独立に並進可能である。これは、例えば、図２Ａ及び図２Ｂに示されている。図示のように、光ファイバ機器トレーの１つ２２′が引き出された光ファイバ機器引出し２０から引き抜かれている。このようにすると、光ファイバモジュール２６へのアクセス性を向上させることができる。アクセスは、一例として光ファイバモジュール２６及びこの中に設けられている光ファイバ接続部の設置、構成、再構成、再設置及び取り出しを行なう上で利用可能である。また、以下に詳細に説明するように、この実施形態における特定の各光ファイバモジュール２６を所望ならば次のアクセスのために所与の光ファイバ機器トレー２２内の他の光ファイバモジュール２６から別個独立に並進させ又は取り外すことができる。
【００２６】
次に、一例として図１の光ファイバ機器１０及び光ファイバ機器引出し２０の種々の性能及び特徴を詳細に説明するために図３〜図２３を参照する。
【００２７】
図３は、図１の光ファイバ機器１０及び光ファイバ機器引出し２０の正面側斜視図であり、光ファイバ機器引出し２０がシャーシ１２内に完全に引っ込められている。前側シャーシカバー２４及び後側シャーシカバー２５は、光ファイバ機器引出し２０のコンポーネント及びこの中に設けられているコンポーネントの説明を容易にするために取り外されている。図３に示されているように、光ファイバ機器引出し２０は、この実施形態では、引出しドア２８を有している。光ファイバ機器トレー２２を図３に示されているように光ファイバ機器引出し２０内に完全に引っ込めると、引出しドア２８を閉じてシャーシ１２にロックすることができ、それにより光ファイバ機器トレー２２へのアクセスが閉ざされる。この実施形態では、引出しドア２８は、光ファイバ機器引出し２０の前側端部３０にヒンジ式に取り付けられている。図４は、図３の拡大図であり、引出しドア２８の一部分及びこの実施形態において引出しドア２８の底部３４を光ファイバ機器引出し２０の前側端部３０に取り付けているヒンジ３２を示している。このようにすると、引出しドア２８は、図５に示されているように引出しドア２８を開いたときに光ファイバ機器引出し２０に取りつけられたまま保持される。
【００２８】
引出しドア２８をこの実施形態ではシャーシ１２に対して閉じた状態に保持するため、引出しドアロック機構体４０が設けられている。引出しドアロック機構体４０は、引出しドア２８をシャーシ１２に対し、特に前側シャーシカバー２４に対して閉じた状態に解除自在に保持するよう構成されている。図３に示されているように、２つの引出しドアロック機構体４０が、１つは引出しドア２８の左側端部４２のために、もう１つは右側端部４４のために設けられている。図４は、引出しドアロック機構体４０の拡大図である。この実施形態では、引出しドアロック機構体４０は、押しボタンラッチ４６で構成されている。押しボタンラッチ４６は、引出しドア２８を閉鎖状態に保持するようラッチ４８を前側シャーシカバー２４内に設けられたラッチオリフィス５１に係合させるよう構成されている。押しボタンラッチ４６は各々、引出しドア２８内に設けられ、この実施形態では、図５に示されているように１つが左側端部４２に設けられ、もう１つが右側端部４４に設けられている。２つのラッチオリフィス５１が前側シャーシカバー２４に設けられ、これらラッチオリフィスは、これ又図５に示されているように、ラッチ４８を受け入れて引出しドア２８をロックするよう構成されている。押しボタンラッチ４６は、この実施形態では、力が押しボタン５０に加えなければ、引出しドア２８を閉じたときにラッチ４８が上方に付勢されてラッチ４８がラッチオリフィス５１と嵌合状態に保持されるようばね押しされている。
【００２９】
光ファイバ機器トレー２２の１つ又は２つ以上引き抜くことが望ましい場合、引出しドア２８を前側シャーシカバー２４からロック解除して開くのが良い。押しボタン５０は、下向きの力を押しボタン５０に加えたときにラッチ４８を下方に動かして押しボタンラッチ４６のばね押し力に打ち勝つよう構成されている。押しボタン５０を下方に押すと、ラッチ４８は、前側シャーシカバー２４のラッチオリフィス５１から離脱して引出しドア２８をロック解除する。すると、引出しドア２８を前側シャーシカバー２４から開くことができる。引出しドア２８は、開かれると、ヒンジ３２回りに下方に揺動することができる。
【００３０】
上述したように、図１の光ファイバ機器１０内の光ファイバ機器引出し２０は、光ファイバ機器トレー２２及び／又はこれらの中に収納されている光ファイバモジュール２６へのアクセス性を向上させるようシャーシ１２から引き抜かれるよう構成されている。この点に関し、図６は、図１の光ファイバ機器１０及び光ファイバ機器引出し２０の正面側斜視図であり、引出しドア２８が開かれて下げられると共に光ファイバ機器２０がシャーシ１２から引き出されている。
【００３１】
光ファイバ機器引出し２０及びその種々の特徴及びコンポーネントを更に示すため、シャーシ１２から取り外されると共に光ファイバ機器トレー２２及び光ファイバモジュール２６を備えていない光ファイバ機器引出し２０の斜視図が図７に示されている。光ファイバ機器引出し２０は、幾つかの特徴を提供するよう構成されており、これら特徴の幾つか又は全てを提供することができる。この実施形態では、光ファイバ機器引出し２０は、後側パネル６０に取り付けられた前側パネル５８を有している。前側パネル５８及び後側パネル６０は、板金又は所望の任意他の形式若しくは種類の材料で構成可能である。前側パネル５８は、上述すると共に図６に示されているように、１つ又は２つ以上の光ファイバ機器トレー２２及び光ファイバ機器トレー２２内に設けられている光ファイバモジュール２６を支持するよう構成されている。
【００３２】
引き続き図７を参照すると、光ファイバ機器引出し２０は、前側パネル５８内に収納された２つの引出し保持部材６２を有している。引出し保持部材６２は、十分であり且つ意図的な力が加えられて光ファイバ機器引出し２０を解除するまで光ファイバ機器引出し２０をシャーシ１２内に解除可能に保持するよう構成されている。この実施形態では、引出し保持部材６２は、光ファイバ機器引出し２０の前側端部３０に隣接して前側パネル５８に設けられたエンボス又はディンプル６４の形態で提供されている。エンボス６４は、光ファイバ機器引出し２０をシャーシ１２内に引っ込めたときにシャーシ１２に設けられている突出ランス（図８Ａにおいて要素８８として示されている）の形態で提供された突起と整列してこれに当たるよう構成されている。光ファイバ機器引出し２０を解除してシャーシ１２から引き出すため、力が光ファイバ機器引出し２０に加えられる。エンボス６４は、ランス８８に当接することになる。エンボス６４とランス８８が当たらないようにするため、エンボス６４をシャーシ１２内でランス８８を横切って且つこれを越えて引き上げることができるのに十分な力を光ファイバ機器引出し２０に加えて光ファイバ機器引出し２０をシャーシ１２から解除する。同様に、光ファイバ機器引出し２０に加えてランス８８を横切って且つこれを越えてエンボス６４を押し戻し、それにより光ファイバ機器引出し２０をシャーシ１２内に引っ込めた状態に保持する。エンボス６４は、前側パネル５８に設けられ、この実施形態では、前側パネル５８の前側端部３０から後側端部６７まで延びる隆起区分６５に設けられている。また、１つ又は３つ以上の引出し保持部材６２を設けることができる。以下において、図８Ａ〜図９Ｂを参照してこの実施形態における引出し部材６２に関する細部ついて説明する。
【００３３】
また、この実施形態では、図７に示されているように、２つの引出し引き抜き制限部材６６が光ファイバ機器引出し２０の後側パネル６０に設けられている。引出し引き抜き制限部材６６は、シャーシ１２からの光ファイバ機器引出し２０の引き抜き距離を制限する。光ファイバ機器引出し２０をシャーシ１２から引き抜いているときにシャーシ１２の内側に沿って乗っかかって進むフランジ６９が後側パネル６０の一部として設けられている。引出し引き抜き制限部材６６は各々、これ又シャーシ１２に設けられたランス８８に係合するよう構成されたタブ６８を有している。タブ６８がランス８８にいったん係合すると、光ファイバ機器引出し２０は、それ以上シャーシ１２から引き出されるのが阻止される。また、１つ又は３つ以上の引出し引き抜き制限部材６６を設けることができる。以下において、図１０Ａ及び図１０Ｂを参照してこの実施形態における引出し引き抜き制限部材６６に関する細部について説明する。
【００３４】
引き続き図７を参照すると、この実施形態における前側パネル５８及び後側パネル６０は、光ファイバ機器引出し２０をシャーシ１２からの引き抜き時に下方に傾斜させることができる。前側パネル５８は、前側パネル５８と後側パネル６０との間に形成されると共に設けられたヒンジ７０を介して後側パネル６０及びシャーシ１２回りに傾斜するよう構成されている。前側パネル５８内に設けられた光ファイバ機器トレー２２及び光ファイバモジュール２６を含む任意の光ファイバ機器も又、前側パネル５８が下方に傾けられた結果として、これ又下方に傾斜することになる。後側パネル６０の一部として設けられたフランジ６９は各々、後側パネル６０及びシャーシ１２回りの光ファイバ機器引出し２０の下方傾斜を制限する傾き制限部材７２を備えている。また、１つ又は３つ以上の傾き引出し制限部材７２を設けることができる。以下において、図１１Ａ〜図１４を参照して光ファイバ機器引出し２０の傾斜能力及び光ファイバ機器引出し２０の傾斜角を制限する引出し傾き制限部材７２に関する細部について説明する。
【００３５】
引き続き図面を参照すると、この実施形態における光ファイバ機器引出し２０は、各々が光ファイバ機器引出し２０の左側端部７６及び右側端部７８に設けられた２つのトレーガイド７４を更に有している。トレーガイド７４は、前側パネル５８のベース８２に全体として垂直に設けられた左側及び右側部材７９，８０に設けられている。トレーガイド７４は、上述すると共に図６に示されているように、各々が１つ又は２つ以上の光ファイバモジュール２６を支持した１つ又は２つ以上の光ファイバ機器トレー２２を受け入れるよう構成されている。この実施形態におけるトレーガイド７４は、各々が光ファイバ機器トレー２２のトレーレールを受け入れるよう構成された複数個のトレーレールガイド８４で構成されている。このようにすると、トレーレールをトレーレールガイド８４回りに動かすことによって光ファイバ機器トレー２２を光ファイバ機器引出し２０に出し入れすることができる。以下において、図１５〜図２０を参照して光ファイバ機器トレー２２を支持するために光ファイバ機器引出し２０内に設けられたトレーガイド７４に関する細部につき説明する。
【００３６】
図８Ａ〜図９Ｂは、光ファイバ機器引出し２０内に設けられた引出し保持部材６２に関する細部を示している。引出し保持部材６２は、シャーシ１２内に引っ込められると、光ファイバ機器引出し２０をシャーシ１２内に保持する。図８Ａ及び図８Ｂは、それぞれ、光ファイバ機器引出し２０を引っ込めてシャーシ１２内に保持したときの光ファイバ機器引出し２０及びシャーシ１２の１つの引出し保持部材６２及び周りの前側パネル５８の断面側面図及び断面斜視図である。図示のように、エンボス６４は、光ファイバ機器引出し２０の左側端部７６で前側パネル５８の隆起区分６５に設けられている。注目されるように、図８Ａ及び図８Ｂに示されていない別のエンボス６４も又、図６に示されているように光ファイバ機器引出し２０の左側端部７８に設けられている。図８Ａ及び図８Ｂでは、エンボス６４は、光ファイバ機器引出し２０をシャーシ１２内に保持するランス８８の後方側部８６に設けられている。ランス８８は、前側パネル５８の底側部８９に隣接してシャーシ１２の上方に突き出るようシャーシ１２に設けられている。光ファイバ機器引出し２０をシャーシ１２から引き抜くことが望ましい場合、引き抜き力を加えてエンボス６４がランス８８内に引き込まれるようにするのが良い。十分な引き抜き力により、エンボス６４は、ランス８８を横切って進み、前側パネル５８をランス８８の上方に持ち上げ、ついには、エンボス６４は、図９Ａ及び図９Ｂに示されているように、ランス８８の前方側部９０上に引かれるようになる。しかる後、光ファイバ機器引出し２０をシャーシ１２から解除する。この実施形態では、エンボス６４がランス８８と衝突しないようにするのに必要な引張り力を減少させるためにオプションとしてのキー９２がエンボス６４に切り込まれている。キー９２は、光ファイバ機器引出し２０を閉鎖位置に保持するようランス８８と衝突するのにも役立ち得る。また、注目されるように、この実施形態では、エンボス６４は、前側パネル５８の隆起区分６５に設けられており、したがって、前側パネル５８は、光ファイバ機器引出し２０をシャーシ１２から引き抜くときに、ランス８８に当たらないようになる。
【００３７】
図９Ａ及び図９Ｂは、それぞれ、光ファイバ機器引出し２０をシャーシ１２から外方に引き出したときの引出し保持部材６２の平面図側拡大斜視図及び底面図側拡大斜視図である。エンボス６４がランス８８の前方側部９０に設けられた後、光ファイバ機器引出し２０は、シャーシ１２から自由に引き抜き可能である。この実施形態では、光ファイバ機器引出し２０は、或る特定の引き抜き距離に制限されている。この点に関し、図１０Ａ及び図１０Ｂは、光ファイバ機器引出し２０内に設けられた２つの引出し引き抜き制限部材６６の一方を示している。図示の引出し引き抜き制限部材６６は、光ファイバ機器引出し２０の左側端部７６に設けられている。また、図１０Ａ及び図１０Ｂに示されていない別の引出し引き抜き制限部材６６が、図６に示されているように、光ファイバ機器引出し２０の左側端部７８に設けられていることに注目されたい。図１０Ａは、光ファイバ機器引出し２０がシャーシ１２から完全に引き出される直前における光ファイバ機器引出し２０の後側パネル６０に設けられている引出し引き抜き制限部材６６の正面側斜視図である。図示のように、光ファイバ機器引出し２０の後側パネル６０に設けられているタブ６８は、シャーシ１２に設けられているランス８８と整列している。前側及び後側パネル５８，６０は、シャーシ１２の上方に位置していて、光ファイバ機器引出し２０を引出し保持部材６２からいったん解除すると、シャーシ１２回りに自由に動くことができる。しかしながら、ランス８８は、タブ６８の移動平面ＴＰ内でシャーシ１２周りに設けられている。後側パネル６０を図１０Ａに示されているようにほぼ完全に引き出すと、タブ６８は、ランス８８に設けられている開口部９４に入るよう構成されている。後側パネル６０及び光ファイバ機器引出し２０は、図１０Ｂに示されているように、タブ６８をランス８８の開口部９４にいったん嵌め込むと、シャーシ１２からそれ以上引き出されるのが阻止される。このように、タブ６８及びランス８８により、引出し引き抜き制限部材６６は、光ファイバ機器引出し２０の引き抜き距離を制限することができる。
【００３８】
図１１Ａ〜図１４は、一実施形態としての光ファイバ機器引出し２０の傾き特徴及び傾き制限特徴を示している。図１１Ａ及び図１１Ｂは、シャーシ１２から引き抜かれてシャーシ１２回りに下方に傾けられた光ファイバ機器引出し２０を示している。上述したように、光ファイバ機器引出し２０を下方に傾けることにより、光ファイバ機器トレー２２及び光ファイバ機器トレー２２内に設けられている光ファイバモジュール２６及び／又はこれらの光ファイバ接続部へのアクセス性を向上させることができる。図１１Ａは、シャーシ１２から引き抜かれて下方に傾けられた光ファイバ機器引出し２０の正面側斜視図である。図１１Ｂは、図１１Ａに示された光ファイバ機器引出し２０の向きを示す側面図である。この実施形態では、前側パネル５８は、後側パネル６０回りに下方に傾斜することができる。後側パネル６０は、シャーシ１２に平行な又は実質的に平行な平面内に差し向けられたままである。光ファイバ機器トレー２２及びこの中に収納されている光ファイバモジュール２６は、前側パネル５８内に設けられているので、前側パネル５８の傾斜によっても、光ファイバ機器トレー２２及び光ファイバモジュール２６が傾斜してアクセス可能となる。
【００３９】
光ファイバ機器引出し２０は、この実施形態では光ファイバ機器引出し２０の前側パネル５８と後側パネル６０との間に設けられたヒンジ７０を介して下方に傾斜するよう構成されている。ヒンジ７０は、後側パネル６０の前側端部１００に設けられた巻き部分９８を前側パネル５８の後側端部１０４に設けられた巻き部分１０２と交互に配置することによって形成されている。巻き部分９８，１０２は、交互配置されると、これらの間に前側及び後側パネル５８，６０の左側端部７６から右側端部７８まで延びる通路（図示せず）を形成する。ロッド（図示せず）が巻き部分９８，１０２を互いに交互配置状態に維持してヒンジ７０を構成するよう通路１０６（図１１Ｂ）を貫通して設けられている。光ファイバ機器引出し２０を引き抜いて前側パネル５８がシャーシ１２を越えて引き抜かれると、前側パネル５８は、ヒンジ７０回りに自由に下方に傾斜することができる。傾斜角は、図１２〜図１４に示すと共に以下に説明するように引出し傾き制限部材７２によって制御される。
【００４０】
図１２は、取付け状態の光ファイバ機器トレー及び光ファイバモジュールを省いた状態で下方に傾けられた図１の光ファイバ機器引出しの正面側斜視図である。図示のように、光ファイバ機器引出し２０の前側パネル５８の傾斜角は、引出し傾き制限部材７２及びフランジ６９によって制限されている。図１３Ａ〜図１３Ｃは、引出し傾き制限部材７２の細部を示している。図１３Ａ〜図１３Ｃに示されているように、図示の引出し傾き制限部材７２は、光ファイバ機器引出し２０の左側端部７６に設けられている。注目されるように、図１３Ａ〜図１３Ｃに示されていない別の引出し傾き制限部材７２も又、図１２に示されているように光ファイバ機器引出し２０の右側端部７８に設けられている。
【００４１】
図１３Ａは、光ファイバ機器引出し２０をシャーシ１２から完全に引き抜いたが、前側パネル５８をまだ傾けていないときの引出し傾き制限部材７２の平面側拡大斜視図である。引出し傾き部材７２は、単一部品として前側パネル５８にしっかりと取り付けられ又はその一部として設けられると共に前側パネル５８のベース８２（図７）に垂直に又は実質的に垂直に配置された制限部材１１０を含む。制限部材１１０は、制限部材１１０の頂面１１４に設けられたアングル１１２を有する。キー１１６がアングル１１２に隣接して制限部材１１０の端区分１１８に設けられている。光ファイバ機器引出し２０を完全に引き抜いてタブ６８をランス８８（図１１Ａ）に係合させると、前側パネル５８は、ヒンジ７０回りに下方に傾斜することができる。前側パネル５８を下方に傾斜させると、ヒンジ７０は、制限部材１１０がフランジ６９に向かって上方に動くようてこ支点となる。前側パネル５８の傾斜角は、制限部材１１０のアングル１１２及びフランジ６９によって制限される。制限部材１１０のアングル１１２は、最終的に、図１３Ｂ及び図１３Ｃに示されているようにフランジ６９の底側部１１２と平面状又は実質的に平面状の接触関係をなし、それにより前側パネル５８のそれ以上の傾斜を阻止する。図１３Ｃは、図１３Ｂの引出し傾き制限部材７２の底面側斜視図である。
【００４２】
光ファイバ機器引出し２０が傾斜時に偶発的にシャーシ１２内に押し戻されるのを阻止するため、引出し傾き制限部材７２の一部として切欠き１２２がフランジ６９に設けられている。切欠き１２２は、制限部材１１０に設けられたキー１１６を受け入れるよう構成されている。キー１１６が切欠き１２２内に受け入れられると、光ファイバ機器引出し２０をシャーシ１２内に押し戻すことができない。光ファイバ機器引出し２０をシャーシ１２内に引っ込めて戻すことが望ましい場合、力を加えて前側パネル５８を引き上げて傾斜角を減少させ、それによりキー１１６を下方に押して切欠き１２２から押し出す。引き続き前側パネル５８を引き上げ又は持ち上げている間、光ファイバ機器引出し２０は、シャーシ１２内に自由に押し戻し可能である。この実施形態では、引出し傾き制限部材７２は、シャーシ１２の一部としては設けられていない。引出し傾き制限部材７２は、前側パネル５８と後側パネル６０の両方内で光ファイバ機器引出し２０の一部として設けられている。このようにすると、光ファイバ機器引出し２０は、シャーシ１２への固定連結部又はリンク機構を提供する必要はない。これは、シャーシ１２内への光ファイバ機器引出し２０の設置の際を含み融通性及び複雑さの軽減をもたらすので有利な場合がある。引出し傾き制限部材７２は、光ファイバ機器引出し２０に限定される必要はない。
【００４３】
上述したように、傾き制限部材７２に設けられたキー１１６及びアングル１１２は、図１３Ａ〜図１３Ｃの実施形態では後側パネル６０回りの前側パネル５８の傾斜を制限する。また、追加の傾き制限部材を設けて後側パネル６０回りの前側パネル５８の補足的な傾き制限を可能にすることが望ましい場合がある。この点に関し、図１３Ｄ及び図１３Ｅは、図１３Ａ〜図１３Ｃの傾き制限部材７２の底面側拡大斜視図であるが、オプションとしてのスロット９１は制限部材１１０に設けられている状態を更に示している。スロット９１は、前側パネル５８の傾斜角を一段と制限するよう構成されている。図１３Ｄに示された前側パネル５８は傾けられていない。図１３Ｅに示された前側パネル５８は、傾けられている。この点に関し、この実施形態ではピン９３がフランジ６９に取り付けられた状態でこれから外方に延びている。ピン９３は、光ファイバ機器引出し２０を組み立てたときに、制限部材１１０に設けられているスロット９１と嵌合するよう構成されている。スロット９１は、ピン９３の運動範囲を境界付け、後側パネル６０回りの前側パネル５８の傾斜をも制限する。というのは、ピン９３は、後側パネル６０の一部であるフランジ６９に取り付けられているからである。
【００４４】
スロット９１は、形状が半径方向又は弧状であり、したがって、ピン９３は、スロットのアールに沿って動き、前側パネル５８を傾斜させることができる。図１３Ｄ及び図１３Ｅに示されているスロット９１の半径方向長さＲ1は、制限部材１１０に設けられているアングル１１２に加えて、前側パネル５８の最大傾斜角を制御する。注目されるように、制限部材１１０は、前側パネル５８の傾斜角を制限する上で上述したスロット９１とピン９３の構成を必要としない。さらに、スロット９１とピン９３の構成は、制限部材１１０に設けられたキー１１６とアングル１１２の構成に代えて、光ファイバ機器引出し２０に設けられても良い。
【００４５】
上述したように、フランジ６９は、光ファイバ機器引出し２０をシャーシ１２から引き抜いているときにシャーシ１２の内側に沿って乗っかって進むよう後側パネル６０の一部として設けられている。後側パネル６０の一部として設けられたフランジ６９は各々、後側パネル６０及びシャーシ１２回りの光ファイバ機器引出し２０の下方傾斜を制限する傾き制限部材７２を備えている。フランジ６９がシャーシ１２内で乗っかって進んでいるときに、フランジ６９は、後側パネル６０から内方又は外方に動くことができると共に前側パネル５８に対して扇形に開き又は外に広がることができる。この点に関し、図１３Ｇ〜図１３Ｌに示すと共に以下に詳細に説明するようにオプションとしての制御プレート９５を設けるのが良い。
【００４６】
図１３Ｆ及び図１３Ｇは、それぞれ、図７の光ファイバ機器引出し２０の正面側斜視図及び背面側斜視図である。図１３Ｄ及び図１３Ｅの制限部材１１０は、フランジ６９と制御プレート９５との間に設けられている。制御プレート９５は、フランジ６９がシャーシ１２回りに動いているときにフランジ６９の外広がり制御を可能にするよう構成されている。制御プレート９５は、前側パネル５８に対する後側パネル６０の外広がりを阻止し又は減少する外広がり制御をもたらす。外広がり制御をもたらすことにより、光ファイバ機器引出し２０とシャーシ１２との間の安定性を一層高めることができる。図１３Ｈ〜図１３Ｌは、制御プレート９５の実施形態に関する細部を示しており、これらの図について以下に説明する。
【００４７】
図１３Ｈ及び図１３Ｉは、それぞれ、図１３Ｆ及び図１３Ｇの光ファイバ機器引出し２０及び傾き制限部材７２の左側面拡大斜視図及び右側面拡大斜視図である。図１３Ｈ及び図１３Ｉは、制御プレート９５を後側パネル６０に取り付けられたフランジ６９にどのようにして取り付けることができるかの一例を示している。図１３Ｈは、制御プレート９５と制限部材１１０及びフランジ６９の関係を容易にする視認できるよう制御プレート９５を輪郭の形態で示している。図１３Ｉは、この実施形態において制御プレート９５をフランジ６９にどのようにして取り付けることができるかを示している。この実施形態では、制御プレート９５は、制限部材１１０が制御プレート９５とフランジ６９との間に設けられるようフランジ６９に取り付けられている。制限部材１１０がフランジ６９から外方に動いた場合、例えば、前側及び後側パネル５８，６０がシャーシ１２回りに動いているとき、制御プレート９５は、この方向におけるフランジ６９の運動を制限することになる。この点に関し、制御プレート９５は、後側パネル６０及び前側パネル５８の外広がりを制御する。フランジ６９は、内向きの方向における制限部材１１０の運動を制限するであろう。
【００４８】
図１３Ｈ及び図１３Ｉに示されているように、制御プレート９５は、この実施形態では複数個のスタンドオフ受け具９７を有している。スタンドオフ受け具９７は、図１３Ｊに示されているように制御プレート９５とフランジ６９との間に隙間Ｇ1を生じさせるよう構成されており、図１３Ｊは、制御プレート９５、制限部材１１０及びフランジ６９を側面図で示している。制御プレート９５は、この実施形態ではフランジ６９に設けられたオリフィス１０１を貫通して設けられた締結具９９によってフランジ６９に固定されている。これは、図１３Ｋ及び図１３Ｊのそれぞれの右側面拡大斜視図及び左側面拡大斜視図に更に示されている。図示のように、制御プレート９５は、フランジ６９に取り付けられ、これらの間には制限部材１１０が設けられている。図１３Ｉに戻ってこれを参照すると、スタンドオフ受け具９７により提供されるスタンドオフは、制御プレート９５とフランジ６９との間の隙間Ｇ1を維持し、その結果、制限部材１１０及び前側パネル５８は、自由に下方に傾斜することができると共に非傾斜形態に戻ることができるようになっている。隙間Ｇ1は、所望の外広がり制御をもたらすよう制御可能である。例えば、一実施形態では、隙間Ｇ1は、０．０６５インチ（１．６５１ｍｍ）であるのが良い。図１３Ｊに示されているように、制限部材１１０の幅Ｗ1は、隙間Ｇ1よりも小さいことが望ましく、したがって、制限部材１１０は、前側パネル５８を傾斜させたときに自由に回転することができる。例えば、制限部材１１０の幅Ｗ1は、０．０６０インチ（１．５２４ｍｍ）であるのが良い。制御プレート９５は、光ファイバ機器引出し２０に設けられる必要はないことに注目されたい。また、スロット９１が制限部材１１０に設けられるかどうかとは無関係に制御プレート９５を設けることができる。
【００４９】
光ファイバ機器引出し２０のもう１つの特徴は、各々が１つ又は２つ以上の光ファイバモジュール２６を支持するよう構成された１つ又は２つ以上の光ファイバ機器トレー２２の支持にある。この実施形態では、光ファイバ機器引出し２０の前側パネル５８は、光ファイバ機器トレー２２を支持している。図１４Ａ及び図１４Ｂに示されているように、光ファイバ機器引出し２０は、各光ファイバ機器トレー２２を光ファイバ機器引出し２０回りに別個独立に動かしてこの中に支持されている光ファイバモジュール２６へのアクセス性を向上させることができるよう構成されている。図１４Ａは、１つの光ファイバ機器トレー２２が光ファイバ機器引出し２０から引き抜かれてこの中に納められている光ファイバモジュール２６にアクセスできるようになっている光ファイバ機器引出し２０の斜視図である。図１４Ｂは、図１４Ａの拡大図である。光ファイバ機器トレー２２及び光ファイバ機器引出し２０内への保持及びこれからの引き抜き特徴部に関する細部が以下に説明されると共に図１５〜図２０に詳細に示されている。
【００５０】
図１５は、光ファイバ機器引出し２０から取り出された光ファイバ機器トレー２２の正面側斜視図であり、取付け状態の光ファイバモジュール２６は示されていない。図示のように、光ファイバ機器トレー２２は、光ファイバモジュール２６（図示せず）を支持したモジュールレールガイド１２６の形態をした複数個のモジュールガイド１２４を有している。図１６Ａ及び図１６Ｂの右側面及び左側面斜視図に示されているように、光ファイバモジュール２６は、この実施形態では側部１２９Ａ，１２９Ｂに設けられたモジュールレール１２８Ａ，１２８Ｂを有している。モジュールレール１２８Ａ，１２８Ｂは、図１７に示されているように、モジュールレールガイド１２６内に設けられたトレーチャネル１３０（図１５）中に挿入されるよう構成されている。図１５に示されているように、モジュールレールガイド１２６は、少なくとも１つの中間モジュールレールガイド１２６′が光ファイバ機器トレー２２内に設けられる場合、列をなして配置される。光ファイバモジュール２６を光ファイバ機器トレー２２の前側端部１３２か後側端部１３４のいずれかに向かって光ファイバ機器トレー２２内のモジュールレールガイド１２６，１２６′内で別個独立に動かすことができる。支持部材１３５も又、モジュールレールガイド１２６，１２６′内に且つこれらの間に設けられた光ファイバモジュール２６の重量を支えるよう光ファイバ機器トレー２２内に設けられるのが良い。モジュールレールガイド１２６，１２６′を以下ひとまとめに要素１２６と称する。
【００５１】
図１５の光ファイバ機器トレー２２内では、４つのモジュールレールガイド１２６がこれら相互間に最大４つの光ファイバモジュール２６を支持するよう設けられていることに注目されたい。モジュールレールガイド１２６は、トレーチャネル１３０が図１８に示されているように光ファイバ機器トレー２２の前側端部１３２と後側端部１３４の両方で開口するよう構成されている。これにより、光ファイバモジュール２６を光ファイバ機器トレー２２中に前側端部１３２から前方設置可能であるか後側端部１３４から後方設置可能であるかのいずれかであるようにすることができ、光ファイバ機器引出し２０及びシャーシ１２の前側か後側かのいずれかから設置可能であるようにすることができる。前方設置可能か後方設置可能かのいずれかの光ファイバモジュール２６の能力を提供することは、技術者が光ファイバモジュール２６を光ファイバ機器引出し２０内に容易に設置してこれとの光ファイバ接続を効率的且つ都合良く行うことができるようにするうえで有利な場合がある。例えば、光ファイバモジュール２６をモジュールレールガイド１２６内の光ファイバ機器トレー２２の後側端部１３４内に挿入し、モジュールレールガイド１２６内で前方に押すことができ、ついには、光ファイバモジュール２６が各光ファイバ機器トレー２２の前側端部１３２に達するようになる。解除が働かない場合、光ファイバモジュール２６が光ファイバ機器トレー２２の前側端部１３２を越えて延びるのを阻止するためにロック特徴部を設けるのが良い。このようにすると、光ファイバモジュール２６を光ファイバ機器引出し２０及びシャーシ１２の後側から設置することができるが、光ファイバ機器トレー２２の前側端部１３２から引き出して取り外すことも可能である。
【００５２】
図１５及び図１７に示されているように、光ファイバ機器トレー２２は、トレーレール１３６を更に有している。トレーレール１３６は、光ファイバ機器引出し２０（図６）内に設けられたトレーガイド７４内に受け入れられるよう構成されており、それにより光ファイバ機器トレー２２を保持してこれが光ファイバ機器引出し２０回りに動くことができるようになっている。光ファイバ機器トレー２２をこれらのトレーレール１３６がトレーガイド７４内で動くことにより光ファイバ機器引出し２０に出し入れすることができる。このように、光ファイバ機器トレー２２は、光ファイバ機器引出し２０内でトレーガイド７４回りに別個独立に動くことができる。以下、トレーレール１３６及び光ファイバ機器引出し２０内のトレーガイド７４へのこれらの結合の細部につき図１９Ａ〜図２１を参照して説明する。
【００５３】
引き続き図１５及び図１７を参照すると、光ファイバ機器トレー２２は、延長部材１３８を更に有するのが良い。引き回しガイド１５０が都合良く延長部材１３８に設けられるのが良く、それにより光ファイバモジュール２７（図１７）内に設けられた光ファイバアダプタ１５２に接続されている光ファイバ又は光ファイバケーブルの引き回しが可能である。光ファイバ機器トレー２２の端部のところに設けられた引き回しガイド１５０′は、光ファイバ又は光ファイバケーブルを光ファイバ機器トレー２２の側部に対して直角をなして引き回すようトレーレール１３６に対して角度をなすのが良い。光ファイバ機器トレー２２を光ファイバ機器引出し２０から容易に引き抜いたり押し込めたりすることができるようにする手段を提供するよう引きタブ１５４もまた延長部材１３８に連結されるのが良い。
【００５４】
図１６Ａ及び図１６Ｂは、光ファイバ機器引出し２０内に光ファイバ接続部をもたらすよう光ファイバ機器トレー２２内に支持できる光ファイバモジュール２６の一例を示している。図１６Ａは、光ファイバモジュール２６の右側面斜視図である。図１６Ｂは、光ファイバモジュール２６の左側面斜視図である。図示のように、光ファイバモジュール２６は、光ファイバモジュール２６の前側端部１５６に設けられた多数の光ファイバアダプタ１５２で構成されている。この例では、光ファイバアダプタ１５２は、デュプレックスＬＣ型光ファイバコネクタを受け入れる。しかしながら、光ファイバモジュール２６に所望の任意の光ファイバ接続形式を設けることができる。別の光ファイバアダプタ１５８が光ファイバモジュール２６の後側端部１６０に設けられている。この例では、光ファイバアダプタ１５８は、多数本の光ファイバ（例えば、１２本の光ファイバ）への接続を可能にするよう構成された多心ＭＴＰ型光ファイバアダプタである。光ファイバモジュール２６は又、光ファイバモジュール２６の前側端部１５６に設けられた光ファイバアダプタ１５２と光ファイバモジュール２６の後側端部１６０に設けられた光ファイバアダプタ１５８との間の極性を管理することができる。
【００５５】
モジュールレール１２８Ａ，１２８Ｂが光ファイバモジュール２６の各側部１２９Ａ，１２９Ｂに設けられている。モジュールレール１２８Ａ，１２８Ｂは、上述されると共に図１７に示されているように、光ファイバ機器トレー２２内のモジュールレールガイド１２６内に挿入されるよう構成されている。このように、光ファイバモジュール２６を光ファイバ機器トレー２２内に設置することが望ましい場合、光ファイバモジュール２６の前側端部１５６を光ファイバ機器トレー２２の前側端部１３２か後側端部１３４かのいずれかから挿入することができる。例えば、光ファイバモジュール２６のモジュールレール１２８Ａ，１２８Ｂの前側端部１５６を光ファイバ機器トレー２２の後側端部１３４から始めてモジュールレールガイド１２６内に挿入することができる。このように、光ファイバモジュール２６を光ファイバ機器トレー２２及び光ファイバ機器引出し２０内に後方設置することができる。次に、光ファイバモジュール２６をモジュールレールガイド１２６内で前方に押すのが良く、ついには、光ファイバモジュール２６は、光ファイバ機器トレー２２の前側端部１３２に達するようになる。このように、技術者は、光ファイバモジュール２６の後側端部１６０に設けられている光ファイバアダプタ１５８への光ファイバ接続を行ない、次に、光ファイバモジュール２６を光ファイバ機器引出し２０の後側から光ファイバ機器トレー２２内に設置することができる。
【００５６】
図１８は、光ファイバ機器トレー２２内に設置された光ファイバモジュール２６及びこれらの中に設けられているモジュールレールガイド１２６の背面側斜視図である。図示のように、光ファイバモジュール２６をモジュールレールガイド１２６のトレーチャネル１３０内に光ファイバ機器トレー２２の後側端部１３４から設置すると、光ファイバモジュール２６のモジュールレールガイド１２８Ａ，１２８Ｂを前側端部１３２に向かって動かすのが良く、ついには、光ファイバモジュール２６は、前側端部１３２に設けられている停止又はロック特徴部に達するようになる。ラッチ１６６（図１６Ａ及び図１６Ｂ）の形態をしたロック特徴部がモジュールレールガイド１２６のトレーチャネル１３０内に設けられた相補戻止めに係合する。ラッチ１６６は、内方に付勢されて光ファイバモジュール２６をモジュールレールガイド１２６内に設置することができるが、ラッチ１６６が外れるまで後側端部又は区分１３４に向かって引き戻すことはできない。
【００５７】
光ファイバモジュール２６を光ファイバ機器トレー２２から取り外すことが望ましい場合、光ファイバモジュール２６を光ファイバ機器トレー２２の前側端部１３２か後側端部１３４かのいずれかから取り外すのが良い。光ファイバモジュール２６を光ファイバキートレー２２の後側端部１３２から取り外すため、レバー１６８（図１６Ａ及び図１６Ｂ）を光ファイバモジュール２６に向かって内方に押してラッチ１６６をモジュールレールガイド１２６から解除することによってラッチ１６６を外す。レバー１６８を光ファイバモジュール２６に向かって内方に押しやすくするため、レバー１６８に隣接してフィンガフック１７０が設けられ、したがって、レバー１６８をフィンガフック１７０中に容易に押し込むことができる。
【００５８】
光ファイバモジュール２６を光ファイバ機器トレー２２の前側端部１３２に向かって前方に押すことにより光ファイバモジュール２６を光ファイバ機器トレー２２内の定位置にロックすることができる。図１７に示されているように、前側停止部１７１の形態をしたロック特徴部がモジュールレールガイド１２６内に設けられている。前側停止部１７１は、光ファイバモジュール２６が前側端部１３２を越えて出るのを阻止する。光ファイバモジュール２６を光ファイバ機器トレー２２から取り外すことが望ましい場合、これ又モジュールレールガイド１２６内に設けられた状態で前側停止部１７１に結合された前側モジュールタブ１７３を下方に押してこれを前側停止部１７１に係合させるのが良い。その結果、前側停止部１７１は、外方に動いて光ファイバモジュール２６から遠ざかり、その結果、光ファイバモジュール２２は、前方に引かれるのが妨げられないようになる。光ファイバモジュール２６、特にそのモジュールレール１２８Ａ，１２８Ｂ（図１６Ａ及び図１６Ｂ）をモジュールレールガイド１２６に沿って前方に引っ張ると、光ファイバモジュール２６を光ファイバ機器トレー２２から取り外すことができる。
【００５９】
上述すると共に図７に示すように、トレーガイド７４は、光ファイバ機器トレー２２を光ファイバ機器引出し２０内に支持することができるよう光ファイバ機器引出し２０内に配置されている。具体的に説明すると、図１５に示されているように、光ファイバ機器トレー２２に取り付けられ又はその一部として設けられたトレーレール１３６は、光ファイバ機器引出し２０が光ファイバ機器トレー２２を支持することができるようトレーガイド７４によって受け入れられるように構成されている。トレーガイド７４により、光ファイバ機器トレー２２を光ファイバ機器引出し２０に出し入れすることができ、それにより、光ファイバ機器トレー２２によって支持された光ファイバモジュール２６へのアクセス性が向上する。図１９Ａ及び図１９Ｂは、光ファイバ機器引出し２０内に設けられた例示のトレーガイド７４に関する細部を示している。
【００６０】
図１９Ａ及び図１９Ｂは、１‐Ｕ空間当たり最大２本のトレーレール１３６を支持するよう光ファイバ機器引出し２０内に設けられたトレーガイド７４の左側面側斜視図及び右側面側斜視図である。図１９Ｃ及び図１９Ｄは、後で説明すると共に図３３Ａ〜図３５を参照して説明するように、１‐Ｕ空間当たり最大３本のトレーレール１３６を支持するよう使用できる別の実施形態としてのトレーガイド７４′の左側面側斜視図及び右側面側斜視図である。トレーガイド７４，７４′は、同一の特徴を有し、図１９Ａ及び図１９Ｂのトレーガイド７４に関する以下の説明は、図１９Ｃ及び図１９Ｄのトレーガイド７４′に同様に当てはまる。トレーガイド７４，７４′の同一の特徴又は要素は、共通の部材番号で示されており、但し、トレーガイド７４′のかかる特徴には、プライム記号（′）が添えられていることを除く。
【００６１】
上述したように、トレーガイド７４は、１つ又は２つ以上の光ファイバモジュール２６を支持した光ファイバ機器トレー２２を光ファイバ機器引出し２０内に収納するよう構成されている。トレーガイド７４により、光ファイバ機器トレー２２を図１４Ｂに示されているようにシャーシ１２から引き抜くことができる。引き続き図１９Ａ及び図１９Ｂを参照すると、この実施形態におけるトレーガイド７４は、ガイドパネル１８０で構成されている。ガイドパネル１８０は、細長い部材１８１で構成されている。ガイドパネル１８０は、任意所望の材料で構成でき、かかる材料としては、ポリマー又は金属が挙げられるが、これらには限定されない。ガイドパネル１８０は、図１２に示されているように光ファイバ機器引出し２０へのガイドパネル１８０の取付けを容易にする一連の孔１８２を有している。ガイド部材１８４がガイドパネル１８０内に設けられており、これらガイド部材は、図２０の断面図に示されているように光ファイバ機器トレー２２のトレーレール１３６を受け入れるよう構成されている。図１９Ａ及び図１９Ｂの実施形態では、３つのガイド部材１８４がガイドパネル１８０内に設けられており、３つの光ファイバ機器トレー２２の最大３本のトレーレール１３６を受け入れることができるようになっている。しかしながら、任意所望の数のガイド部材１８４を設けることができる。この実施形態では、ガイド部材１８４は各々、トレーレール１３６を受け入れるよう構成されたガイドチャネル１８６を有し、これらガイドチャネルにより、トレーレール１３６は、ガイドチャネル１８６に沿って動くことができ、それにより光ファイバ機器引出し２０回りの光ファイバ機器トレー２２の並進が可能である。
【００６２】
板ばね１８８がトレーガイド７４のガイド部材１８４の各々内に設けられており、これら板ばねは各々、ガイド部材１８４内における光ファイバ機器トレー２２の運動中、トレーレール１３６のための停止位置をもたらすよう構成されている。板ばね１８８は、板ばね１８８にばね作用を与えるためにガイド部材１８４に設けられた端部１８９相互間に配置されている。板ばね１８８は各々、停止又は休止位置を提供するようトレーレール１３６に設けられた戻止め１９２（図２１Ａ及び図２１Ｂ）内に受け入れられるよう構成された突起１９０を有している。トレーレール１３６は、トレーレール１３６を光ファイバ機器トレー２２に取り付けるために用いられる取付けプラットホーム１９４を有している。トレーガイド７４に停止位置を設けて光ファイバ機器トレー２２が光ファイバ機器引出し２０に出し入れされたときに停止位置を有することができるようにすることが望ましい場合がある。停止位置は、技術者に課される要件として或る特定の力を及ぼして光ファイバ機器トレー２２をガイドパネル１８０回りに引き又は押し、その結果、光ファイバ機器トレー２２は、引かれておらず又は押されていないときには定位置に保持されるようになる。しかしながら、この力は、所望の場合、特に光ファイバ機器トレー２２を技術者の上方に配置する場合、技術者は、光ファイバ機器トレー２２をガイドパネル１８０内に容易に押し込んだりガイドパネル１８０から容易に引き抜いたりすることができるよう設定されるのが良い。この点に関し、一例を挙げると、トレーレール１３６の２つの戻止め１９２は、任意所与の時点でトレーガイド７４の２つの突起１９０を受け入れる。光ファイバ機器トレー２２を第１の停止位置で光ファイバ機器引出し２０内に完全に引っ込めると、トレーレール１３６の２つの戻止め１９２は、ガイドチャネル１８６の後側端部１９６に隣接して位置する１つの突起１９０及びガイドチャネル１８６の後側端部１９６と前側端部１９８との間に設けられている中間突起と嵌合する。光ファイバ機器トレー２２が光ファイバ機器引出し２０から引き抜かれると、トレーレール１３６の２つの戻止め１９２は、ガイドチャネル１８６の前側端部１９８に隣接して位置する１つの突起１９０及びガイドチャネル１８６の後側端部１９６と前側端部１９８との間に設けられた中間突起１９０と嵌合する。この実施形態における板ばね１８８の突起１９０とトレーレール１３６の戻止め１９２の嵌合によって提供される停止又は休止位置は、ガイドパネル１８０に加えられた力が停止位置を克服してガイド部材１８４内に設けられた光ファイバ機器トレー２２のトレーレール１３６を並進させることを要件とするように設けられている。
【００６３】
この実施形態では、各板ばね１８８は、板ばね１８８の突起１９０が全部で４ポンド（１．８１ｋｇ）の引張り力でトレーレール１３６内に設けられている戻止め１９２に打ち勝つことができるよう約２ポンド（０．９１ｋｇ）の引張り力を必要とするように設計されている（即ち、トレーレール１３６の２つの戻止め１９２が２つの板ばね１８８の２つの突起１９０と嵌合している）。突起１９０と戻止め１９２の嵌合状態に打ち勝つのに必要な引張り力は、任意所望の引張り力であるよう設定可能である。例えば、突起１９０と戻止め１９２の係合状態に打ち勝つのに必要な引張り力は、光ファイバコネクタを光ファイバ機器トレー２２によって支持された光ファイバモジュール２６に係合させ又はこれから係合解除するのに必要な引張り力よりも大きいように設計されるのが良い。しかしながら、突起１９０と戻止め１９２の係合関係に打ち勝つのに必要な引張り力は、光ファイバ機器引出し２０をシャーシ１２（図８Ａ及び図８Ｂ）から引き抜くときにランス８８に当たらないようにするのに必要な引張り力よりも小さいように設定されるのが良い。板ばね１８８は、この実施形態では、各々が同一の力をもたらすよう設計されているが、いつでもそうである必要はない。さらに、ガイドパネル１８０及びトレーレール１３６は、少ない停止位置をもたらすよう設計されても良く、或いは、１つの突起１９０が各停止又は休止位置において１つの戻止め１９２と嵌合するようにしただけであっても良い。
【００６４】
トレーレール１３６が停止位置にあるとき、２つの板ばね１８８に設けられた２つの突起１９０は、上述したようにトレーレール１３６の２つの突起に係合する。この実施形態では、トレーレール１３６が停止位置にあるとき、板ばね１８８及びこれらの突起１９０並びにトレーレール１３６の相補戻止め１９２は、戻止め１９２が力を突起１９０に及ぼすことがないように協働的に設計されている。板ばね１８８は、トレーレール１３６が停止位置にあるとき、応力を受けない状態にある。これは、板ばね１８８が例えばポリマー材料のような材料で構成されている場合、クリープが経時的に起こる場合があり、経時的な板ばね１８８の有効性が低下するので有利な場合がある。しかしながら、この特徴は、この設計にとって必要条件ではない。
【００６５】
トレーレール１３６をガイドチャネル１８６内で引いているとき、トレー１３６に設けられ、図２１Ａ及び図２１Ｂに示された突起２００は、図１９Ａに示されているように板ばね１８８相互間に設けられた移行部材２０２を乗り越えるよう付勢される。突起２００は、図２１Ａ及び図２１Ｂに示されているようにトレーレール１３６内に配置されている板ばね２０４に設けられている。移行部材２０２は、光ファイバ機器トレー２２がガイドチャネル１８６内で並進されているときに突起２００が移行部材２０２を乗り越えることができるようにする傾斜面２０５を有している。突起２００が移行部材２０２を収容すると、突起２００に及ぼされた力により、板ばね２０４は、内方に曲がって突起２００が移行部材２０２を乗り越えることができる。トレーレール１３６及び光ファイバ機器トレー２２がガイドチャネル１８６の前側端部１９８及び後側端部１９６を越えて引き出されるのを阻止するため、停止部材２０６がガイドチャネル１８６の前側端部１９８及び後側端部１９６のところに設けられている。停止部材２０６は、傾斜面を備えておらず、トレーレール１３６の突起２００は、停止部材２０６に当接し、停止部材２０６を越えてガイドチャネル１８６の前側端部１９８の外部に出るのが阻止される。
【００６６】
光ファイバ機器引出し２０、光ファイバ機器トレー２２及び光ファイバモジュール２６を上述したからには、次に、光ファイバ機器１０に組み込み可能な他の特徴について説明する。例えば、図２２は、オプションとしての後側カバー２２０を受け入れるよう構成された図１の光ファイバ機器１０及びシャーシ１２の背面側斜視図である。後側カバー２２０は、シャーシ１２の後側領域２２２内に設けられた分岐ケーブル（図示せず）を保護するために採用される場合がある。図２２に示されているように、多数の孔２２４がシャーシ１２の後側領域２２２の隆起領域２２６に設けられるのが良く、これら孔は、シャーシ１２に入る幹線ケーブル（図示せず）の固定用分岐部を支持するようになっている。幹線ケーブルは、光ファイバ機器引出し２０内に設けられている光ファイバモジュール２６との光ファイバ接続関係を確立するようシャーシ１２まで延びている。後側カバー２２０は、オーバーラップ部材２２８を有し、これらオーバーラップ部材は、図２３に示されているように前側シャーシカバー２４の後側カバー端部２３０内に受け入れられてシャーシ１２に固定されるよう構成されている。後側カバー２２０は、隆起領域２２６に接続された分岐部を保護することができる。後側カバー２３０を前側シャーシカバー２４に固定するため、後側カバー２３０は、後側カバー２３０の後側パネル２３４内にプランジャ２３２又は他の締結器具を更に有するのが良い。プランジャ２３２は、シャーシ１２の後側領域２２２に設けられているフラップ２３８内に配置されているプランジャ受け具２３６に係合して後側カバー２２０を前側シャーシカバー２４及びシャーシ１２に固定するようになっている。
【００６７】
本明細書において説明する実施形態は、上述の光ファイバ機器引出し２０には限定されない。光ファイバ引出し２０の特徴の幾つか又は全ては、光ファイバモジュールを支持すると共にこれにアクセスするために他の引出し、シャーシ又は他の光ファイバ機器に組み込み可能である。例えば、図２４〜図３２Ｂは、各々が１つ又は２つ以上の光ファイバモジュールを支持するよう構成された１つ又は２つ以上の光ファイバ機器トレーを支持するよう構成されている光ファイバ機器引出しを含む光ファイバ機器の変形実施形態を示している。この点に関し、図２４は、別の例示の光ファイバ機器３１０を示している。例示の光ファイバ機器３１０は、ケーブル間光ファイバ接続部を支持するとともに複数個の光ファイバケーブル接続部を管理するようデータ配信センタ又は中央局のところに設けられるのが良い。光ファイバ機器３１０は、光ファイバ機器シャーシ３１２（以下、単に「シャーシ３１２」という場合がある）を有する。シャーシ３１２は、所望ならば光ファイバ機器ラック、例えば上述すると共に図１に示されている光ファイバ機器ラック１４内に設置されるよう構成されている。図２４に示されているシャーシ３１２は、１Ｕ‐サイズのものであるが、所望の任意他のＵ‐サイズであるよう設計可能であり、“Ｕ”は、高さ１．７５インチ（４．４５ｃｍ）又は所望の任意他の高さの標準に等しい。
【００６８】
図２４に示されると共に本明細書において以下に詳細に説明するように、シャーシ３１２は、１つ又は２つ以上の引き出し可能な光ファイバ機器トレー３２２を支持した光ファイバ機器引出し３２０を有している。光ファイバ機器トレー３２２は、１つ又は２つ以上の光ファイバモジュール（図示せず）を支持するよう構成されている。光ファイバ機器トレー３２２は、この実施形態では、上述すると共に図１４Ａ〜図１５及び図１７に示されている光ファイバ機器トレー２２と同一又は本質的に同一である。光ファイバ機器トレー３２２によって支持された光ファイバモジュールは、上述すると共に図１６Ａ及び図１６Ｂに示されている光ファイバモジュール２６と同一又は本質的に同一であるのが良い。光ファイバ機器トレー３２２を動かして光ファイバ機器引出し３２０から引き出したり光ファイバ機器引出し３２０内に戻したりすることができる。任意個数の光ファイバ機器トレー３２２を設けることができる。任意個数の光ファイバモジュールは、光ファイバ機器トレー３２２によって支持可能である。光ファイバ機器トレー３２２は、図２４では、シャーシ３１２の一部として光ファイバ機器引出し３２０の前に配置された前側シャーシカバー３２４によって隠れて見えない。ラッチオリフィス３５１が前側シャーシカバー３２４に設けられ、この実施形態では以下に詳細に説明するように引出しドア３２８を前側シャーシカバー３２４にロックするよう押しボタン３５０を採用した引出しドアロック機構体を支持するようになっている。光ファイバ機器引出し３２０は、光ファイバ機器トレー３２２及びこれらの中に支持されている光ファイバモジュールにアクセスするためにシャーシ３１２から引き出し可能である。
【００６９】
図２４の光ファイバ機器３１０の例では、２つの光ファイバ機器トレー３２２は、光ファイバ機器引出し３２０によって支持され、各光ファイバ機器トレー３２２は、４つの光ファイバモジュール２６を支持している。各光ファイバモジュールは、任意の数の光ファイバ接続部を支持することができる。光ファイバ機器トレー３２２内に収容される光ファイバモジュールが１２個の光ファイバ接続部を支持する場合、全部で最大９６個の光ファイバ接続部を光ファイバ機器引出し３２０によって提供することができるが、光ファイバ機器引出し３２０は、この密度に限定されるわけではない。
【００７０】
図２５Ａ及び図２５Ｂは、図２４の光ファイバ機器３１０及び光ファイバ機器引出し３２０の或る特定の性能及び特徴の概要を示すために提供されている。本明細書においてこれら性能及び特徴の実施形態につき詳細に説明する。図２５Ａは、シャーシ３１２及び光ファイバ機器引出し３２０の正面側斜視図である。図２５Ｂは、シャーシ３１２及び光ファイバ機器引出し３２０の側面図である。図２５Ａに示されているように、前側シャーシカバー３２４及び後側シャーシカバー３２５（図２４）がシャーシ３１２から取り外されており、その結果、光ファイバ機器引出し３２０内の光ファイバ機器トレー３２２によって支持された光ファイバモジュールが見えている。光ファイバ機器引出し３２０をシャーシ３１２から引き出すと、光ファイバ機器トレー３２２内に設置されている光ファイバモジュールをシャーシ３１２から引き出して光ファイバモジュール及びこれらの中の支持されている光ファイバ接続部にアクセスすることができる。図２５Ａ及び図２５Ｂに示されているように、光ファイバ機器引出し３２０は、シャーシ３１２から完全に引き抜かれ又は引き出され、下方に傾けられている。光ファイバ機器引出し３２０を下方に傾けると、図２５Ａ及び図２５Ｂに示されているように、所望に応じて光ファイバ機器引出し２０内に設置されている光ファイバモジュール２６を下方に傾けることができる。下方への光ファイバ機器引出し３２０の傾斜は、光ファイバ機器引出し３２０が光ファイバ機器ラック内の高い位置に設けられている場合に特に有用なことがある。アクセスすべき所望の光ファイバモジュールは、所望ならば、光ファイバモジュールを支持した光ファイバ機器トレー３２２を光ファイバ機器引出し３２０から引き抜くことによってアクセス性を向上させるよう一段と引き出し可能である。
【００７１】
以下に詳細に説明するように、各光ファイバ機器トレー３２２は又、一例として図２Ａ及び図２Ｂに記載されている引出しと同様、光ファイバ機器引出し３２０をシャーシ３１２から引き出そうと引き出さまいと或いは下方に傾けようと傾けまいといずれにせよ、光ファイバ機器引出し２０３から別個独立に並進可能である。このようにすると、光ファイバ機器トレー３２２内に設けられている光ファイバモジュールへのアクセス性を向上させることができる。アクセスは、一例として光ファイバモジュール及びこの中に設けられている光ファイバ接続部の設置、構成、再構成、再設置及び取出しを含む。さらに、この実施形態における光ファイバ機器トレー３２２内に設置されている各光ファイバモジュールを所望ならば次のアクセスのために所与の光ファイバ機器トレー３２２内の他の光ファイバモジュールから別個独立に並進させ又は取り外すことができる。
【００７２】
次に、一例として図２４の光ファイバ機器３１０及び光ファイバ機器引出し３２０の種々の性能及び特徴を詳細に説明するために図２６〜図３２Ｂを参照する。
【００７３】
図２６は、図２４の光ファイバ機器３１０及び光ファイバ機器引出し３２０の正面側斜視図であり、光ファイバ機器引出し３２０がシャーシ３１２内に完全に引っ込められている。前側シャーシカバー３２４及び後側シャーシカバー３２５は、光ファイバ機器引出し３２０のコンポーネント及びこの中に設けられているコンポーネントの説明を容易にするために取り外されている。光ファイバ機器引出し３２０は、この実施形態では、引出しドア３２８を有している。引出しドア３２８は、光ファイバ機器トレー３２２へのアクセス性を制御する。引出しドア３２８は、例えば光ファイバ機器引出し３２０内に作られている光ファイバ接続部を識別するようラベルホルダ３９２に設けることができるラベル表示を更に有するのが良い。引出しドア３２８は、図２６では開かれた状態で示されている。光ファイバ機器トレー３２２が図２６に示されているように光ファイバ機器引出し３２０内に完全に引っ込められると、引出しドア３２８を閉じてシャーシ３１２にロックすることができ、それにより光ファイバ機器トレー３２２へのアクセスが閉ざされる。この実施形態では、引出しドア３２８は、引出しドア３２８を開くと、図２６に示されているように、光ファイバ機器引出し３２０に取り付けられた状態に保持される。
【００７４】
引出しドア３２８をこの実施形態ではシャーシ３１２に対して閉じた状態に保持するため、引出しドアロック機構体３４０が設けられている。引出しドアロック機構体３４０は、上述すると共に図３〜図５に示されている引出しドアロック機構体３４０とほぼ同じである。引出しドアロック機構体３４０は、引出しドア３２８をシャーシ３１２に対し、特に前側シャーシカバー３２４に対して閉じた状態に解除自在に保持するよう構成されている。図２６に示されているように、２つの引出しドアロック機構体３４０が、１つは引出しドア２８の左側端部３４２のために、もう１つは右側端部３４４のために設けられている。この実施形態では、引出しドアロック機構体３４０は、上述すると共に図５に示されている押しボタンラッチ３４と同一又は類似の押しボタンラッチ３４６で構成されている。押しボタンラッチ３４６は、引出しドア３２８を閉鎖状態に保持するようラッチ３４８を前側シャーシカバー３２４内に設けられたラッチオリフィス３５１（図２４）に係合させるよう構成されている。押しボタンラッチ３４６は各々、引出しドア３２８内に設けられ、この実施形態では、図２６に示されているように１つが左側端部３４２に設けられ、もう１つが右側端部３４４に設けられている。２つのラッチオリフィス３５１（図２４）が前側シャーシカバー３２４に設けられ、これらラッチオリフィスは、ラッチ３４８を受け入れて引出しドア３２８をロックするよう構成されている。押しボタンラッチ３４６は、この実施形態では、力が押しボタン３５０に加えなければ、引出しドア３２８を閉じたときにラッチ３４８が上方に付勢されてラッチ３４８がラッチオリフィス３５１と嵌合状態に保持されるようばね押しされている。
【００７５】
光ファイバ機器トレー３２２の１つ又は２つ以上引き抜くことが望ましい場合、引出しドア３２８を前側シャーシカバー３２４からロック解除して開くのが良い。押しボタン３５０は、上述すると共に図３〜図５に示されている押しボタン５０と同様、下向きの力を押しボタン３５０に加えたときにラッチ３４８を下方に動かして押しボタンラッチ３４６のばね押し力に打ち勝つよう構成されている。押しボタン３５０を下方に押すと、ラッチ３４８は、前側シャーシカバー３２４のラッチオリフィス３５１から離脱して引出しドア３２８をロック解除する。すると、引出しドア３２８を前側シャーシカバー３２４から開くことができる。引出しドア３２８は、開かれると、ヒンジ３３２回りに下方に揺動することができる。
【００７６】
上述したように、光ファイバ機器３１０内の光ファイバ機器引出し３２０は、光ファイバ機器トレー３２２及び／又はこれらの中に収納されている光ファイバモジュール３２６へのアクセス性を向上させるようシャーシ３１２から引き抜かれるよう構成されている。この点に関し、図２７Ａは、図２４の光ファイバ機器３１０及び光ファイバ機器引出し３２０の正面側斜視図であり、引出しドア３２８が開かれて下げられると共に光ファイバ機器３２０がシャーシ３１２から引き出されている。光ファイバ機器引出し３２０及びその種々の特徴及びコンポーネントを更に示すため、光ファイバ機器引出し３２０の斜視図が図２７Ｂに示されている。光ファイバ機器引出し３２０は、幾つかの特徴を提供するよう構成されており、これら特徴の幾つか又は全てを提供することができる。この実施形態では、光ファイバ機器引出し３２０は、後側パネル３６０に取り付けられた前側パネル３５８を有している。前側パネル３５８及び後側パネル３６０は、板金又は所望の任意他の形式若しくは種類の材料で構成可能である。前側パネル３５８は、上述すると共に図２７Ａに示されているように、１つ又は２つ以上の光ファイバ機器トレー３２２及び光ファイバ機器トレー３２２内に設けられている光ファイバモジュールを支持するよう構成されている。
【００７７】
引き続き図２７Ｂを参照すると、光ファイバ機器引出し３２０は、前側パネル３５８内に収納された２つの引出し保持部材３６２を有している。２つの引出し保持部材３６２は、図２８に示されているように前側パネル３５８の底側部３６３に設けられている。引出し保持部材３６２は、光ファイバ機器引出し３２０をシャーシ３１２から解除するまで光ファイバ機器引出し３２０をシャーシ３１２内に解除可能に保持するよう構成されている。引出し保持部材３６２が解除されると、光ファイバ機器引出し３２０をシャーシ３１２から引き抜くことができる。
【００７８】
この実施形態では、引出し保持部材３６２は、エルボ形ラッチ３６４の形態で設けられている。エルボ形ラッチ３６４は、この実施形態では、２つのエルボ区分３６４Ａ，３６４Ｂを有している。一方のエルボ形ラッチ３６４が図２８に示されており、その理由は、光ファイバ機器引出し３２０の左側端部３４２だけが示されているからである。しかしながら、別の引出し保持部材３６２及びエルボ形ラッチ３６４が光ファイバ機器引出し３２０の右側端部３４４のところに位置した前側パネル３５８の底側部３６３にも設けられていることに注目されたい。エルボ形ラッチ３６４は、後方付勢ラッチ係合部材３６８（図２７Ｂ）と整列してこれに当たるよう構成されており、これら後方付勢ラッチ係合部材は、シャーシ３１２内に引っ込められたときに光ファイバ機器引出し３２０を保持するようシャーシ３１２内に設けられている。この点に関し、各エルボ形ラッチ３６４のエルボ区分３６４Ａは、ラッチ係合部材３６８（図２７Ａ）の後方側部３８６に設けられ、光ファイバ機器引出し３２０をシャーシ３１２内に保持するようラッチ係合部材３６８に当たるよう構成される。引出し保持部材３６２を解除すると、エルボ形ラッチ３６４は、内方に引かれてラッチ係合部材３６８とエルボ形区分３６４Ａの衝突を回避して各エルボ形ラッチ３６４のエルボ区分３６４が妨げられない状態でラッチ係合部材３６８を通過してラッチ係合部材３６８（図２７Ａ）の前方側部３９０内に入り、それにより光ファイバ機器引出し３２０をシャーシ３１２から引き抜くことができるようになっている。
【００７９】
図２８〜図２９Ｂは、引出し保持部材３６２に関する細部を示している。図２８は、光ファイバ機器引出し３２０の前側パネル３５８の底側部３６３のところに位置した左側端部３４２に設けられている引出し保持部材３６２を示している。図２９Ａ及び図２９Ｂは、光ファイバ機器引出し３２０の前側パネル３５８の底側部３６３の右側端部３４４に設けられるよう設計された引出し保持部材３６２を単独で取り出して示す斜視図である。図２８に示されているように、引出し保持部材３６２は、引出し用引き解除具３６９を有している。引出し用引き解除具３６９は、エルボ形ラッチ３６４に機械的に結合されている。引出し用引き解除具３６９を引くと、エルボ区分３６４Ａ，３６４Ｂは、引出し保持部材３６２の２つの互いに平行な又は実質的に平行なプレート部材３７３の外縁部３７１に向かって内方に畳まれる。エルボ形ラッチ３６４に連結されると共にプレート部材３７３に設けられたスロット３７７内に設けられているピン３７５が引出し用引き解除具３６９の引き距離を制限し、エルボラッチ３６４の畳み距離を制限する。エルボ形ラッチ３６４は、この実施形態では、エルボ形ラッチ３６４がプレート部材３７３から外部に自由に出たりその内部に自由に引っ込んだりすることができるようプレート部材３７３相互間に設けられている。エルボ形ラッチ３６４が畳まれると、各エルボ形ラッチ３６４のエルボ区分３６４Ａは、ラッチ係合部材３６２との衝突を避けることができ、それにより光ファイバ機器引出し３２０をシャーシ３１２から解除することができる。この実施形態では、２つの引出し保持部材３６２が光ファイバ機器引出し３２０内に設けられているので、引出し保持部材３６２の両方の引出し用引き解除具３６９は、光ファイバ機器引出し３２０を解除するよう引かれる。しかしながら、１つの引出し保持部材３６２を設けて、光ファイバ機器引出し３２０をシャーシ３１２から解除するのに引かれるのが必要な引出し用引き解除具３６９が１つだけであるようにしても良い。
【００８０】
図２８〜図２９Ｂに示されているようにばね３７９も又エルボ形ラッチ３６４に組み込むことにより、エルボ形ラッチ３６４が拡張位置で外方に付勢される。この実施形態では、ばね３７９は、エルボ区分３６４Ｂに直列に結合されているが、所望ならばエルボ区分３６４Ａに直列に結合されても良い。この実施形態では、ばね３７９は、エルボ区分３６４Ｂとプレート部材３７３に設けられたオリフィス３８１との間に結合されている。図２８に示されているように、引出し用引き解除具３６９と光ファイバ機器引出し３２０との間に別のばね３８３を更に結合するのが良い。ばね３８３は、引出し用引き解除具３６９を内方に付勢し、その結果、引出し用引き解除具３６９に加えられた引き力が解除されると、引出し用引き解除具３６９は、光ファイバ機器引出し３２０に向かって引っ込んで戻るようになる。
【００８１】
光ファイバ機器引出し３２０が引出し保持部材３６２の解除によりシャーシ３１２から解除された後においては、光ファイバ機器引出し３２０は、シャーシ３１２から自由に引き抜き可能である。光ファイバ機器引出し３２０をシャーシ３１２内に引っ込めると、光ファイバ機器引出し３２０をシャーシ３１２内にロックすることができる。光ファイバ機器引出し３２０を引っ込めると、各エルボ形ラッチ３６４のエルボ区分３６４Ａは、最終的に、ラッチ係合部材３６８（図２７Ｂ）に接触する。ラッチ係合部材３６８が後方に付勢されているので、光ファイバ機器引出し３２０がシャーシ３１２内に押し込まれているときにおけるラッチ係合部材３６８とエルボ区分３６４Ａとの接触により、エルボ形ラッチ３６４は内方に畳まれることになる。しかる後、エルボ区分３６４Ａは、ラッチ係合部材３６８の後方側部３８６上に設けられて光ファイバ機器引出し３２０をシャーシ３１２内に保持するようになっている。
【００８２】
光ファイバ機器引出し３２０に設けることができるもう１つの特徴は、光ファイバ機器引出し３２０の引き抜き距離を制限する引出し引き抜き制限部材である。図３０Ａ及び図３０Ｂは、この特徴を示している。図３０Ａは、光ファイバ機器引出し３２０、特に前側パネル３５８及び後側パネル３６０の拡大斜視図である。後側パネル３６０は、前側パネル３５８が後側パネル３６０に対して平らにされてリンク機構部材３５９により移動経路ＴＰ′に沿って押し戻されると、移動経路ＴＰ′に沿ってシャーシ３１２内に戻るよう構成されており、これについては以下に詳細に説明する。前側パネル３５８は、引出し引き抜き制限部材３６６を見えなくしている。図３０Ｂは、図３０Ａの光ファイバ機器引出し３２０の斜視図であるが、後側パネル３６０は、説明の目的上取り外されている。図３０Ｂに示されているように、引出し引き抜き制限部材３６６は、シャーシ３１２のベース３９１に取り付けられたプレート部材３６７の形態で設けられている。後側パネル３６０の底側部にしっかりと取り付けられたタブ部材３６１は、後側パネル３６０が移動経路ＴＰ′に沿って動くと、移動経路ＴＰ′に沿って動く。後側パネル３６０を引き抜いてタブ部材３６１がプレート部材３６７のキー付き区分３６５に入ると、タブ部材３６１は、プレート部材３６７に当接し、後側パネル３６０がキー付き区分３６５を越えて出るのを阻止し、前側パネル３５８がシャーシ３１２からそれ以上出るのを阻止する。
【００８３】
図３０Ｂ及び図３１Ａ〜図３２Ｂは、光ファイバ機器引出し３２０の運動及び傾き機構体を示している。光ファイバ機器引出し３２０の傾き機構体について詳細に説明する。図３０Ｂ及び図３１Ａ〜図３２Ｂに示されているように、光ファイバ機器トレー３２２は、光ファイバ機器トレー３２２及びこれらの中に支持されている光ファイバモジュール（図示せず）へのアクセス性を向上させるようシャーシ３１２に出入りするよう構成されている。図３１Ａ及び図３１Ｂは、前側パネル３５８が傾けられた状態でシャーシ３１２から引き出された光ファイバ機器引出し３２０の正面側及び背面側斜視図である。この実施形態では、光ファイバ機器引出し３２０は、図３１Ａ及び図３１Ｂに示されているようにシャーシ３１２のベース３９１内に設けられた２つの引出しレールガイド３９８内に配置されている外側ガイド部材３８９回りにシャーシ３１２に出入りする。２つの相補引出しレール３９２が図３２Ａ及び図３２Ｂに示されているようにリンク機構部材３９４に連結されたヒンジ３９３に固定的に連結されている。リンク機構部材３９４は、光ファイバ機器引出し３２０の底側部３９５に固定的に取り付けられている。光ファイバ機器引出し３２０の運動により、力がリンク機構部材３９４に加えられ、これらリンク機構部材は、力を引出しレール３９２に加え、それにより引出しレール３９２は、図３０Ｂに示されているように引出しレールガイド３９８内で動くようになる。リンク機構部材３９４は、光ファイバ機器引出し３２０を引っ込めると、図３２Ａに示されているように引出しレールガイド３９８の内側区分３９７に沿って動く下側の内側区分３９６を有する。
【００８４】
リンク機構部材３９４は、光ファイバ機器引出し３２０をシャーシ３１２内に引っ込めると、リンク機構部材３９４が引出しレールガイド３９８の外側ガイド部材３８９に当たらないよう外側隆起部分３９９を更に有している。引出しレールガイド３９８は、板金又は他の材料、例えばプラスチックで作られても良く、或いは、金属とプラスチックのハイブリッドであっても良い。例えば、外側ガイド部材３８９は、プラスチックで作られ、引出しレールガイド３９８の他の部分は、板金で作られても良い。
【００８５】
図３１Ａ及び図３１Ｂは又、一実施形態としての光ファイバ機器引出し３２０の傾き及び傾き制限特徴部を示している。上述したように、光ファイバ機器引出し３２０を下方に傾けることにより、光ファイバ機器引出し３２０内に設けられている光ファイバモジュール及び／又はこれらの光ファイバ接続部へのアクセス性を向上させることができる。図３１Ａに示されているように、前側パネル３５８は、後側パネル３６０回りに下方に傾斜することができる。後側パネル３６０は、シャーシ３１２に平行な又は実質的に平行な平面内に差し向けられたままである。光ファイバ機器トレー３２２は、前側パネル３５８内に設けられているので、前側パネル３５８の傾斜によっても、光ファイバ機器トレー３２２が傾斜してアクセス可能となる。
【００８６】
光ファイバ機器引出し３２０は、この実施形態ではヒンジ３９３及び光ファイバ機器引出し３２０の前側パネル３５８と後側パネル３６０との間に設けられたヒンジ４００を介して下方に傾斜するよう構成されている。ヒンジ４００は、後側パネル３６０の前側端部４０２に設けられた巻き部分４０１を前側パネル３５８の後側端部４０４に設けられた巻き部分４０３と交互に配置することによって形成されている。巻き部分４０１，４０３は、交互配置されると、これらの間に前側及び後側パネル３５８，３６０の左側端部３７６から右側端部３７８まで延びるヒンジ４００を形成する。光ファイバ機器引出し３２０を引き抜いて前側パネル３５８がシャーシ３１２を越えて引き抜かれると、前側パネル３５８は、ヒンジ４００回りに自由に下方に傾斜することができる。光ファイバ機器引出し３２０の傾斜角は、図３０Ａに示されているように前側パネル３５８の後側端部４０４とシャーシ３１２の前側端部４０５の衝突によって制御される。
【００８７】
図３３Ａ〜図３５は、上述すると共に光ファイバモジュール２６を支持するよう図示されている同一又は本質的に同一の光ファイバ機器トレー２２を有するのが良い別の実施形態としての光ファイバ機器４１０を示している。光ファイバ機器４１０は、この実施形態では、各々が１つ又は２つ以上の光ファイバモジュール２６を支持した光ファイバ機器トレー２２を保持するよう構成された４‐Ｕサイズのシャーシ４１２を有している。シャーシ４１２によって支持された光ファイバ機器トレー２２及び光ファイバモジュール２６は、上述したのと同一又は本質的に同一である。シャーシ４１２内に設けられた光ファイバ機器トレー２２及び光ファイバ機器トレー２２内に設けられた光ファイバモジュール２６については再び説明する必要はないであろう。図３４Ａは、光ファイバ機器４１０の正面側斜視図であり、前側カバー４１４がシャーシ４１２内に設けられている光ファイバ機器トレー２２を示すよう下げられている。シャーシカバー４１６（図３３Ａ及び図３３Ｂ）がシャーシ４１２に取り付けられ、光ファイバ機器トレー２２及びこの中に納められている光ファイバモジュール（図示せず）を固定するようになっている。図３３Ｂは、図３３Ａに示された光ファイバ機器４１０の側面図である。図３４は、図３３Ａに示されている光ファイバ機器４１０を示しているが、シャーシカバー４１６は、シャーシ４１２内に設けられている光ファイバ機器トレー２２を示すために取り外されている。
【００８８】
光ファイバモジュール２６は、一例として上述すると共に図１５〜図１８に示した光ファイバ機器トレー２２内に支持されるのが良い。光ファイバ機器トレー２２は、一例として上述すると共に図１６Ａ及び図１６Ｂに示した光ファイバモジュール２６と同一又は類似した光ファイバモジュールを１つ又は２つ以上支持することができる。光ファイバ機器４１０は、この実施形態では、光ファイバ機器引出しを備えていない。光ファイバ機器トレー２２は、この実施形態では、中間光ファイバ機器引出しとは対照的に、シャーシ４１２によって直接支持されている。図１９Ａ〜図２１Ｂに記載したトレーガイド７４，７４′及びトレーレール１３６は、シャーシ４１２内の光ファイバ機器トレー２２を支持するようシャーシ４１２内に用いられるのが良く、それにより、各光ファイバ機器トレー２２を別個独立にシャーシ４１２から引き出したりこの中に戻したりすることができる。しかしながら、全部で最大５７６個の光ファイバ接続部（即ち、１２個の光ファイバ機器トレー２２×光ファイバ機器トレー２２一つ当たり４個の光ファイバモジュール２６×光ファイバモジュール２６一つ当たり１２個の光ファイバ接続部）の場合、最大１２個の光ファイバ機器トレー２２をシャーシ４１２内に設けることができる。図３４に示されているようにシャーシ４１２内に設けられるトレーガイド４１８は、最大１２個の光ファイバ機器トレー２２を支持することができる。もしそうでなければ、トレーガイド４１８は、図１９Ａ及び図１９Ｂに示されると共に上述したトレーガイド７４と同一のガイド部材及びトレーガイド内に位置する光ファイバ機器トレー２２を支持する他の特徴部を有する。
【００８９】
図３５は、１つの光ファイバ機器トレー２２′がシャーシ４１２から引き出された状態の光ファイバ機器４１０を示している。光ファイバ機器トレー２２′は、ちょうど図２１Ａ及び図２１Ｂに示すと共に上述したトレーレール１３６を有し、これらトレーレールは、図１９Ａ及び図１９Ｂにちょうど示すと共に上述したトレーガイド７４回りに動くようになっている。光ファイバ機器トレー２２′をシャーシ４１２から引き出すと、この中に納められている光ファイバモジュール２６及びこれらの光ファイバ接続部へのアクセス性を向上させることができる。アクセスが完了すると、引っ込めた状態の光ファイバ機器トレー２２′をシャーシ１２及び光ファイバ機器引出し２０についてちょうど上述すると共に光ファイバ機器トレー２２について示したようにトレーガイド４１０回りにシャーシ４１２中に押し戻すことができる。
【００９０】
注目されるように、図３３Ａ〜図３５に示された光ファイバ機器４１０は、光ファイバ機器トレー２２をひとまとめにシャーシ４１２に引き込んだり引き出したりすることができるようにする光ファイバ機器引出しを備えていないが、光ファイバ機器引出しを設けることができることに注目されたい。光ファイバ機器引出しは、上述すると共に図示した光ファイバ機器引出し２０と同一又はほぼ同一の状態で提供できる。光ファイバ機器引出しは、光ファイバ機器引出し２０が上述すると共に図示したようにシャーシ１２内に保持されてこの中に出し入れされるのと同様、シャーシ４１２内に保持されると共にこれに出し入れされるよう設計可能である。光ファイバ機器４１０内に支持された光ファイバ機器トレー２２は、上述すると共に図示した光ファイバ機器引出し内部に設置されるトレーガイド７４と同一又はほぼ同一のトレーガイド内に挿入されると共に支持される。光ファイバ機器引出しの運動により、光ファイバ機器トレー２２の各々がひとまとまりに動く。上述すると共に図示した光ファイバ機器引出し２０と同一又はほぼ同一の光ファイバ機器引出しを設けることは、任意特定のサイズ、配列又は数の光ファイバ機器トレー又は光ファイバモジュールには限定されない。
【００９１】
上記説明及び関連の図面に提供された教示の恩恵を受ける本発明と関連した当業者であれば、本明細書において説明した本発明の多くの改造例及び他の実施形態を想到できよう。これら改造としては、光ファイバ機器、光ファイバ機器引出し、光ファイバ機器引出しに組み込まれる特徴の数又は形式が挙げられるが、これらには限定されず、かかる特徴としては、保持特徴、引き抜き距離特徴、傾き特徴及び／又は傾き制限特徴が挙げられるが、これらには限定されない。１‐Ｕ、２‐Ｕ及び４‐Ｕサイズを含む（これらには限定されない）任意サイズの機器は、上述の特徴の幾つか又は全てを含むことができ、かかる特徴としては、本明細書において開示した光ファイバ機器引出し（傾斜可能なタイプと傾斜できないタイプの両方）、光ファイバ機器トレー及び光ファイバモジュール並びにこれらの特徴の幾つか又は全てが挙げられるが、これらには限定されない。さらに、改造は、光ファイバ機器トレーの形式又は光ファイバ機器トレー内に設置される光ファイバモジュールを支持する手段若しくは装置には限定されない。光ファイバモジュールは、任意の光ファイバ接続形式を含むことができ、かかる光ファイバ接続形式としては、光ファイバコネクタ及びアダプタ並びに光ファイバ接続の数、密度等が挙げられるが、これらには限定されない。
【００９２】
「光ファイバケーブル」及び／又は「光ファイバ」という用語は、全ての形式のシングルモード及びマルチモード導波路を含み、かかる導波路としては、アップコード付き、色分け、バッファ付き、リボン付きのものであるのが良く且つ／或いはケーブル内の他の組織化又は保護構造体、例えば１本又は２本以上の管、抗張力体、ジャケット等を有する１本又は２本以上の光ファイバが挙げられる。同様に、適当な光ファイバの他の形式としては、曲げ敏感性光ファイバ又は光信号を伝送するための媒体の任意他の手段が挙げられる。曲げ敏感性光ファイバの一例は、コーニング・インコーポレイテッド（Corning Incorporated）から市販されているClear Curve（登録商標）マルチモードファイバである。
【００９３】
したがって、実施形態は、開示した特定の実施形態には限定されず、改造例及び他の実施形態は、添付の特許請求の範囲に記載された本発明の範囲に含まれるものであることは理解されるべきである。実施形態は、これらが特許請求の範囲に記載された本発明の範囲及びその均等範囲に属する限り、本発明の改造例及び変形例を包含するものである。特定の用語を本明細書において採用したが、特定の用語は、本発明を限定する目的ではなく、一般的且つ説明的な意味でのみ用いられている。
【図１】
0005706399.tif 000002
【図２Ａ】
0005706399.tif 000003
【図２Ｂ】
0005706399.tif 000004
【図３】
0005706399.tif 000005
【図４】
0005706399.tif 000006
【図５】
0005706399.tif 000007
【図６】
0005706399.tif 000008
【図７】
0005706399.tif 000009
【図８Ａ】
0005706399.tif 000010
【図８Ｂ】
0005706399.tif 000011
【図９Ａ】
0005706399.tif 000012
【図９Ｂ】
0005706399.tif 000013
【図１０Ａ】
0005706399.tif 000014
【図１０Ｂ】
0005706399.tif 000015
【図１１Ａ】
0005706399.tif 000016
【図１１Ｂ】
0005706399.tif 000017
【図１２】
0005706399.tif 000018
【図１３Ａ】
0005706399.tif 000019
【図１３Ｂ】
0005706399.tif 000020
【図１３Ｃ】
0005706399.tif 000021
【図１３Ｄ】
0005706399.tif 000022
【図１３Ｅ】
0005706399.tif 000023
【図１３Ｆ】
0005706399.tif 000024
【図１３Ｇ】
0005706399.tif 000025
【図１３Ｈ】
0005706399.tif 000026
【図１３Ｉ】
0005706399.tif 000027
【図１３Ｊ】
0005706399.tif 000028
【図１３Ｋ】
0005706399.tif 000029
【図１３Ｌ】
0005706399.tif 000030
【図１４Ａ】
0005706399.tif 000031
【図１４Ｂ】
0005706399.tif 000032
【図１５】
0005706399.tif 000033
【図１６Ａ】
0005706399.tif 000034
【図１６Ｂ】
0005706399.tif 000035
【図１７】
0005706399.tif 000036
【図１８】
0005706399.tif 000037
【図１９Ａ】
0005706399.tif 000038
【図１９Ｂ】
0005706399.tif 000039
【図１９Ｃ】
0005706399.tif 000040
【図１９Ｄ】
0005706399.tif 000041
【図２０】
0005706399.tif 000042
【図２１Ａ】
0005706399.tif 000043
【図２１Ｂ】
0005706399.tif 000044
【図２２】
0005706399.tif 000045
【図２３】
0005706399.tif 000046
【図２４】
0005706399.tif 000047
【図２５Ａ】
0005706399.tif 000048
【図２５Ｂ】
0005706399.tif 000049
【図２６】
0005706399.tif 000050
【図２７Ａ】
0005706399.tif 000051
【図２７Ｂ】
0005706399.tif 000052
【図２８】
0005706399.tif 000053
【図２９Ａ】
0005706399.tif 000054
【図２９Ｂ】
0005706399.tif 000055
【図３０Ａ】
0005706399.tif 000056
【図３０Ｂ】
0005706399.tif 000057
【図３１Ａ】
0005706399.tif 000058
【図３１Ｂ】
0005706399.tif 000059
【図３２Ａ】
0005706399.tif 000060
【図３２Ｂ】
0005706399.tif 000061
【図３３Ａ】
0005706399.tif 000062
【図３３Ｂ】
0005706399.tif 000063
【図３４】
0005706399.tif 000064
【図３５】
0005706399.tif 000065